(57)【特許請求の範囲】
【請求項１】
ワイヤレス・デバイスにおける通信の方法であって、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を備える、方法。
【請求項２】
リソースの前記セットに関連した前記サブフレームの間に少なくとも１つの復調参照信号（ＤＭＲＳ）を受信すること
をさらに備える、請求項１に記載の方法。
【請求項３】
前記少なくとも１つのＤＭＲＳは、ＣＲＳパターンに関連した少なくとも１つのリソース・エレメントを使用する、請求項２に記載の方法。
【請求項４】
前記少なくとも１つのＤＭＲＳは、非ＣＲＳリソース・エレメントのセットに関わる低密度のリソース・パターンを使用する、請求項３に記載の方法。
【請求項５】
前記ユニキャスト制御シンボル期間の間に前記制御メッセージを受信することと、
前記制御メッセージに少なくとも部分的に基づいてリソースの前記セットに関連した前記サブフレームの間に前記ユニキャスト・データ送信を受信することと、
をさらに備える、請求項１に記載の方法。
【請求項６】
前記ユニキャスト制御シンボル期間の間に前記制御メッセージを送信することと、
リソースの前記セットに関連した前記サブフレームの間に前記ユニキャスト・データ送信を送信することと、
をさらに備える、請求項１に記載の方法。
【請求項７】
リソースの第２のセットが第２のｅＭＢＭＳのためにスケジュールされることを決定すること
をさらに備える、請求項１に記載の方法。
【請求項８】
リソースの前記セットとリソースの前記第２のセットが周波数分割多重（ＦＤＭ）構成にしたがって多重化されることを決定すること
をさらに備える、請求項７に記載の方法。
【請求項９】
リソースの前記セットとリソースの前記第２のセットが時分割多重（ＴＤＭ）構成にしたがって多重化されることを決定すること
をさらに備える、請求項７に記載の方法。
【請求項１０】
ｅＭＢＭＳプリエンプション（preemption）指示を受信することと、
前記ｅＭＢＭＳのためにスケジュールされたリソースの前記セットが前記ｅＭＢＭＳプリエンプション指示に少なくとも部分的に基づいてユニキャスト・データを含むことを決定することと、
をさらに備える、請求項１に記載の方法。
【請求項１１】
リソースの前記セットは、減じられたシンボル期間に少なくとも部分的に基づき、ここにおいて、前記減じられたシンボル期間は、強化コンポーネント・キャリア（ｅＣＣ）構成に対応する、請求項１に記載の方法。
【請求項１２】
前記減じられたシンボル期間は、クリア・チャネル・アセスメント（ＣＣＡ）長に等しい、請求項１１に記載の方法。
【請求項１３】
前記減じられたシンボル期間は、拡張されたサイクリック・プレフィクス（ＣＰ）長に少なくとも部分的に基づく、請求項１１に記載の方法。
【請求項１４】
前記拡張されたＣＰ長に少なくとも部分的に基づく前記減じられたシンボル期間は、前記ｅＭＢＭＳに関連した帯域幅範囲に対応し、拡張されていないＣＰ長に少なくとも部分的に基づく第２の減じられたシンボル期間は、ユニキャスト送信に関連した帯域幅範囲に対応する、請求項１３に記載の方法。
【請求項１５】
前記制御メッセージは、物理アップリンク・フォーマット・インジケータ・チャネル（ＰＵＦＩＣＨ）フォーマットまたはリソース割り当てを使用する、請求項１に記載の方法。
【請求項１６】
リソースの前記セットが前記ｅＭＢＭＳのためにスケジュールされることを決定することは、
前記ｅＭＢＭＳを指示するシステム情報ブロック（ＳＩＢ）を受信することと、前記ＳＩＢに少なくとも部分的に基づいてマルチキャスト制御チャネル（ＭＣＣＨ）を受信することとを備える、請求項１に記載の方法。
【請求項１７】
ワイヤレス・デバイスにおける通信のための装置であって、
リソースのセットが発展型マルチメディア・ブロードキャスト・マルチキャスト・サービス（ｅＭＢＭＳ）のためにスケジュールされることを決定するための手段と、
リソースの前記セットの第１シンボル期間がセル固有の参照信号（ＣＲＳ）プリアンブルに関連し、リソースの前記セットの第２のシンボル期間がユニキャスト制御シンボル期間であることを決定するための手段と、
リソースの前記セットを使用してユニキャスト・データ送信を指示する制御メッセージを前記ユニキャスト制御シンボル期間において特定するための手段と、
リソースの前記セットに関連したサブフレームに関わるＣＲＳオン／オフ検知を実施するための手段と、
前記ＣＲＳオン／オフ検知に少なくとも部分的に基づいて前記サブフレームの間に少なくとも１つのＣＲＳを受信するための手段と、
前記ＣＲＳオン／オフ検知に少なくとも部分的に基づいて蓄積されたＣＲＳデータと前記少なくとも１つのＣＲＳを組み合わせるための手段と
を備える、装置。
【請求項１８】
ワイヤレス・デバイスにおける通信のための装置であって、
プロセッサと、
前記プロセッサと電子通信状態にあるメモリと、
前記メモリに記憶された命令と
を備え、ここにおいて、前記命令は、前記装置に、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を行わせるように前記プロセッサによって実行可能である、装置。
【請求項１９】
前記命令は、前記装置に、
リソースの前記セットに関連した前記サブフレームの間に少なくとも１つの復調参照信号（ＤＭＲＳ）を受信すること
を行わせるように前記プロセッサによって実行可能である、請求項１８に記載の装置。
【請求項２０】
前記少なくとも１つのＤＭＲＳは、ＣＲＳパターンに関連した少なくとも１つのリソース・エレメントと、非ＣＲＳリソース・エレメントのセットに関わる低密度のリソース・パターンとを使用する、請求項１９に記載の装置。
【請求項２１】
前記命令は、前記装置に、
前記ユニキャスト制御シンボル期間の間に前記制御メッセージを受信することと、
前記制御メッセージに少なくとも部分的に基づいてリソースの前記セットに関連した前記サブフレームの間に前記ユニキャスト・データ送信を受信することと、
を行わせるように前記プロセッサによって実行可能である、請求項１８に記載の装置。
【請求項２２】
前記命令は、前記装置に、
前記ユニキャスト制御シンボル期間の間に前記制御メッセージを送信することと、
リソースの前記セットに関連した前記サブフレームの間に前記ユニキャスト・データ送信を送信することと、
を行わせるように前記プロセッサによって実行可能である、請求項１８に記載の装置。
【請求項２３】
前記命令は、
リソースの第２のセットが第２のｅＭＢＭＳのためにスケジュールされることを決定する
ように前記プロセッサによって実行可能である、請求項１８に記載の装置。
【請求項２４】
前記命令は、前記装置に、
リソースの前記セットとリソースの前記第２のセットが周波数分割多重（ＦＤＭ）構成にしたがって多重化されることを決定すること
を行わせるように前記プロセッサによって実行可能である、請求項２３に記載の装置。
【請求項２５】
前記命令は、前記装置に、
リソースの前記セットとリソースの前記第２のセットが時分割多重（ＴＤＭ）構成にしたがって多重化されることを決定すること
を行わせるように前記プロセッサによって実行可能である、請求項２３に記載の装置。
【請求項２６】
ワイヤレス・デバイスにおける通信のためのコードを記憶する非一時的コンピュータ可読媒体であって、前記コードは、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を行うように実行可能である命令を備える、コンピュータ可読媒体。
【発明の詳細な説明】
【関連出願の相互参照】
【０００１】
[0001]  本願は、２０１５年１２月１７日に出願された「Evolved Multimedia Broadcast Multicast Service on Enhanced Component Carriers」と題する、Ｚｈａｎｇ他による米国特許出願第１４／９７３，３００号、および２０１５年１月８日に出願された「Evolved Multimedia Broadcast Multicast Service on Enhanced Component Carriers」と題する、Ｚｈａｎｇ他による米国仮特許出願第６２／１０１，２２６号の優先権を主張し、これらの各々は、本譲受人に譲渡されている。
【技術分野】
【０００２】
[0002]  下記は、概してワイヤレス通信に関し、より具体的には、強化コンポーネント・キャリア（ｅＣＣ）における発展型マルチメディア・ブロードキャスト・マルチキャスト・サービス（ｅＭＢＭＳ）に関する。
【背景技術】
【０００３】
[0003]  ワイヤレス通信システムは、音声、ビデオ、パケット・データ、メッセージング、ブロードキャストなどのような、さまざまなタイプの通信コンテンツを提供するように広く展開されている。これらのシステムは、利用可能なシステム・リソース（例えば、時間、周波数、および電力）を共有することによって複数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロング・ターム・エボリューション（ＬＴＥ（登録商標））システム）を含む。
【０００４】
[0004]  例として、ワイヤレス多元接続通信システムは、複数の基地局を含み得、各々が、複数の通信デバイスのための通信を同時にサポートし、それらは別名ユーザ機器（ＵＥ）として知られ得る。基地局は、（例えば、基地局からＵＥへの送信のための）ダウンリンク・チャネル、および（例えば、ＵＥから基地局への送信のための）アップリンク・チャネル上で通信デバイスと通信し得る。
【０００５】
[0005]  いくつかのワイヤレス通信システムは、（例えばｅＭＢＭＳに関わる）マルチキャスト・データおよびユニキャスト・データの両方を送信するように構成され得る。ワイヤレス・システムは、各送信タイプに関わるラジオ・リソース（例えば時間および周波数リソース）を保有し得る。例えば、システム帯域幅の一部は、ユニキャスト送信に割り当てられ得、システム帯域幅の異なる部分は、マルチキャスト送信のためにスケジュールされる送信時間インターバル（ＴＴＩ）に割り当てられ得る。しかしいくつかの場合では、より多くのリソースが、これらの送信のために実際に使用されるより、マルチキャスト送信のために保有され得る。これは、ラジオ・リソースの非効率的な使用をもたらし得る。
【発明の概要】
【０００６】
[0006]  強化コンポーネント・キャリア（ｅＣＣ）における発展型マルチメディア・ブロードキャスト・マルチキャスト・サービス（ｅＭＢＭＳ）のためのシステム、方法、および装置が説明される。ワイヤレス・システムは、マルチキャスト送信に割り当てられたリソースを使用してユニキャスト・データを送信し得る。マルチキャスト送信のためにスケジュールされた送信時間インターバル（ＴＴＩ）におけるユニキャスト・データの存在は、ＴＴＩ内に制御領域によって指示され得る。ユーザ装置（ＵＥ）は、ユニキャスト情報の存在を特定するために制御領域をモニタし得る。マルチキャスト送信のためにスケジュールされたＴＴＩはまた、マルチキャストまたはユニキャスト・データの復調を助けるために参照信号（reference signals）を含み得る。いくつかの場合では、参照信号は、ＴＴＩの開始時にフロント・ローディングされ得るかＴＴＩ内に組み込まれ得る。組み込まれた参照信号は、マルチキャスト送信のためにスケジュールされたＴＴＩによって使用されるサイクリック・プレフィクスの長さによって、または、マルチキャスト送信のためにスケジュールされたＴＴＩによって搬送されるデータのタイプに基づいて構成され得る。
【０００７】
[0007]  ワイヤレス・デバイスにおける通信の方法が説明される。方法は、リソースのセットがｅＭＢＭＳのためにスケジュールされることを決定することと、リソースのセットの第１のシンボル期間がセル固有の参照信号（ＣＲＳ）プリアンブルに関連しリソースのセットの第２のシンボル期間がユニキャスト制御シンボル期間であることを決定することと、リソースのセットを使用してユニキャスト・データ送信を示す制御メッセージをユニキャスト制御シンボル期間において特定することと、を含み得る。
【０００８】
[0008]  ワイヤレス・デバイスにおける通信のための装置が説明される。装置は、リソースのセットがｅＭＢＭＳのためにスケジュールされることを決定するための手段と、リソースのセットの第１のシンボル期間がＣＲＳプリアンブルに関連しリソースのセットの第２のシンボル期間がユニキャスト制御シンボル期間であることを決定するための手段と、リソースのセットを使用してユニキャスト・データ送信を示す制御メッセージをユニキャスト制御シンボル期間において特定するための手段と、を含み得る。
【０００９】
[0009]  ワイヤレス・デバイスにおける通信のためのさらなる装置が説明される。装置は、プロセッサ、プロセッサと電子通信状態にあるメモリ、およびメモリに記憶された命令を含み得る。命令は、リソースのセットがｅＭＢＭＳのためにスケジュールされることを決定することと、リソースのセットの第１のシンボル期間がＣＲＳプリアンブルに関連しリソースのセットの第２のシンボル期間がユニキャスト制御シンボル期間であることを決定することと、リソースのセットを使用してユニキャスト・データ送信を示す制御メッセージをユニキャスト制御シンボル期間において特定することと、を装置に行わせることをプロセッサによって実行可能であり得る。
【００１０】
[0010]  ワイヤレス・デバイスにおける通信のためのコードを記憶する非一時的コンピュータ可読媒体が説明される。コードは、リソースのセットがｅＭＢＭＳのためにスケジュールされることを決定することと、リソースのセットの第１のシンボル期間がＣＲＳプリアンブルに関連しリソースのセットの第２のシンボル期間がユニキャスト制御シンボル期間であることを決定することと、リソースのセットを使用してユニキャスト・データ送信を示す制御メッセージをユニキャスト制御シンボル期間において特定することと、を実行可能である命令を含み得る。
【００１１】
[0011]  上記の方法、装置、または非一時的コンピュータ可読媒体のいくつかの例は、リソースのセットに関連するサブフレームに関わるＣＲＳオン／オフ検知を実施することと、ＣＲＳオン／オフ検知に少なくとも部分的に基づいてサブフレームの間に少なくとも１つのＣＲＳを受信することとを行うためのプロセス、特徴、手段、または命令をさらに含み得る。さらに、または代わって、いくつかの例は、ＣＲＳオン／オフ検知に少なくとも部分的に基づいて蓄積されたＣＲＳデータと少なくとも１つのＣＲＳを組み合わせるためのプロセス、特徴、手段、または命令を含み得る。
【００１２】
[0012]  上述された方法、装置、または非一時的コンピュータ可読媒体のいくつかの例は、サブフレームの間に少なくとも１つの復調参照信号（ＤＭＲＳ）を受信するためのプロセス、特徴、手段、または命令をさらに含み得る。さらに、または代替として、いくつかの例では、少なくとも１つのＤＭＲＳは、ＣＲＳパターンに関連する少なくとも１つのリソース・エレメントを使用する。
【００１３】
[0013]  方法、装置、または非一時的なコンピュータ可読媒体のいくつかの例では、少なくとも１つのＤＭＲＳは、非ＣＲＳリソース・エレメントのセットに関して低密度のリソース・パターンを使用する。さらに、または代わって、いくつかの例は、ユニキャスト制御シンボル期間の間に制御メッセージを受信することと、制御メッセージに少なくとも部分的に基づいてサブフレームの間にユニキャスト・データ送信を受信することとを行うためのプロセス、特徴、手段、または命令を含み得る。
【００１４】
[0014]  上述された方法、装置、または非一時的コンピュータ可読媒体のいくつかの例は、ユニキャスト制御シンボル期間の間に制御メッセージを送信することと、サブフレームの間にユニキャスト・データ送信を送信することとを行うためのプロセス、特徴、手段、または命令をさらに含み得る。さらに、または代わって、いくつかの例は、リソースの第２のセットは第２のｅＭＢＭＳのためにスケジュールされることを決定するためのプロセス、特徴、手段または命令を含み得る。
【００１５】
[0015]  上述された方法、装置、または非一時的コンピュータ可読媒体のいくつかの例は、リソースのセットおよびリソースの第２のセットが周波数分割多重（ＦＤＭ）構成にしたがって多重化されることを決定するためのプロセス、特徴、手段、または命令をさらに含み得る。さらに、または代わって、いくつかの例は、リソースのセットおよびリソースの第２のセットが時分割多重（ＴＤＭ）構成にしたがって多重化されることを決定するためのプロセス、特徴、手段、または命令をさらに含み得る。
【００１６】
[0016]  上記の方法、装置、または非一時的コンピュータ可読媒体のいくつかの例は、ｅＭＢＭＳプリエンプション（preemption）指示を受信することと、ｅＭＢＭＳのためにスケジュールされたリソースのセットがプリエンプション指示に少なくとも部分的に基づいてユニキャスト・データを含むことを決定することとを行うためのプロセス、特徴、手段、または命令をさらに含み得る。さらに、または代わって、いくつかの例では、リソースのセットは、減じられたシンボル期間に少なくとも部分的に基づき、減じられたシンボル期間は、ｅＣＣ構成に対応し得る。
【００１７】
[0017]  上述された方法、装置、または非一時的コンピュータ可読媒体のいくつかの例において、減じられたシンボル期間は、クリア・チャネル・アセスメント（ＣＣＡ：clear channel assessment）長に等しい。さらに、または代わって、いくつかの例では、減じられたシンボル期間は、拡張されたサイクリック・プレフィクス（ＣＰ）長に少なくとも部分的に基づく。
【００１８】
[0018]  上述された方法、装置、または非一時的コンピュータ可読媒体のいくつかの例では、拡張されたＣＰ長に少なくとも部分的に基づく減じられたシンボル期間は、ｅＭＢＭＳに関連した帯域幅範囲に対応し、拡張されていないＣＰ長に少なくとも部分的に基づく第２の減じられたシンボル期間は、ユニキャスト送信に関連した帯域幅範囲に対応する。さらに、または代わって、いくつかの例では、制御メッセージは、物理アップリンク・フォーマット・インジケータ・チャネル（ＰＵＦＩＣＨ）フォーマットまたはリソース割り当てを使用する。
【００１９】
[0019]  上述された方法、装置、または非一時的コンピュータ可読媒体のいくつかの例において、リソースのセットがｅＭＢＭＳのためにスケジュールされることを決定することは、ｅＭＢＭＳを指示するシステム情報ブロック（ＳＩＢ）を受信することと、ＳＩＢに少なくとも部分的に基づいてマルチキャスト制御チャネル（ＭＣＣＨ）を受信することとを含む。
【００２０】
[0020]  ワイヤレス・デバイスにおける通信の方法が説明される。方法は、物理マルチキャスト・チャネル（ＰＭＣＨ）に関わる時間および周波数リソースのセットを指示する物理マルチキャスト制御チャネル（ＰＭＣＣＨ）送信を受信することと、ＰＭＣＣＨに少なくとも部分的に基づいてマルチキャスト・トラフィック・チャネル（ＭＴＣＨ）に関わる時間および周波数リソースのセットを指示する物理マルチキャスト・スケジューリング・インジケータ・チャネル（ＰＭＳＩＣＨ）送信を受信することと、を含み得る。
【００２１】
[0021]  ワイヤレス・デバイスにおける通信のための装置が説明される。装置は、ＰＭＣＨに関わる時間および周波数リソースのセットを指示するＰＭＣＣＨ送信を受信するための手段と、ＰＭＣＣＨに少なくとも部分的に基づいてＭＴＣＨに関わる時間および周波数リソースのセットを指示するＰＭＳＩＣＨ送信を受信するための手段と、を含み得る。
【００２２】
[0022]  ワイヤレス・デバイスにおける通信のためのさらなる装置が説明される。装置は、プロセッサ、プロセッサと電子通信状態にあるメモリ、およびメモリに記憶された命令を含み得る。命令は、ＰＭＣＨに関わる時間および周波数リソースのセットを指示するＰＭＣＣＨ送信を受信することと、ＰＭＣＣＨに少なくとも部分的に基づいてＭＴＣＨに関わる時間および周波数リソースのセットを指示するＰＭＳＩＣＨ送信を受信することと、を装置に行わせることをプロセッサによって実行可能であり得る。
【００２３】
[0023]  ワイヤレス・デバイスにおける通信のためのコードを記憶する非一時的コンピュータ可読媒体が説明される。コードは、ＰＭＣＨに関わる時間および周波数リソースのセットを指示するＰＭＣＣＨ送信を受信することと、ＰＭＣＣＨに少なくとも部分的に基づいてＭＴＣＨに関わる時間および周波数リソースのセットを指示するＰＭＳＩＣＨ送信を受信することとを実行可能である命令を含み得る。
【００２４】
[0024]  上述された方法、装置、または非一時的コンピュータ可読媒体のいくつかの例は、ＰＭＣＣＨに関わるリソースのセットを指示するＳＩＢを受信するためのプロセス、特徴、手段、または命令をさらに含み得る。
【００２５】
[0025]  ワイヤレス・デバイスにおける通信の方法が説明される。方法は、ｅＣＣの帯域幅範囲がｅＭＢＭＳのためにスケジュールされることを決定することと、決定に少なくとも部分的に基づいて帯域幅範囲に関わる拡張されたＣＰ長を選択することと、および拡張されたＣＰ長に少なくとも部分的に基づいて参照信号構成を選択することとを含み得る。
【００２６】
[0026]  ワイヤレス・デバイスにおける通信のための装置が説明される。装置は、ｅＣＣの帯域幅範囲がｅＭＢＭＳのためにスケジュールされることを決定するための手段と、決定に少なくとも部分的に基づいて帯域幅範囲に関わる拡張されたＣＰ長を選択するための手段と、および拡張されたＣＰ長に少なくとも部分的に基づいて参照信号構成を選択するための手段とを含み得る。
【００２７】
[0027]  ワイヤレス・デバイスにおける通信のためのさらなる装置が説明される。装置は、プロセッサ、プロセッサと電子通信状態にあるメモリ、およびメモリに記憶された命令を含み得る。命令は、ｅＣＣの帯域幅範囲がｅＭＢＭＳのためにスケジュールされることを決定することと、決定に少なくとも部分的に基づいて帯域幅範囲に関わる拡張されたＣＰ長を選択することと、拡張されたＣＰ長に少なくとも部分的に基づいて参照信号構成を選択することと、を装置に行わせることをプロセッサによって実行可能であり得る。
【００２８】
[0028]  ワイヤレス・デバイスにおける通信のためのコードを記憶する非一時的コンピュータ可読媒体が説明される。コードは、ｅＣＣの帯域幅範囲がｅＭＢＭＳのためにスケジュールされることを決定することと、決定に少なくとも部分的に基づいて帯域幅範囲に関わる拡張されたＣＰ長を選択することと、拡張されたＣＰ長に少なくとも部分的に基づいて参照信号構成を選択することとを実行可能である命令を含み得る。
【００２９】
[0029]  上述された方法、装置、または非一時的コンピュータ可読媒体のいくつかの例において、参照信号構成は、最小のＴＴＩ長を含む。さらに、または代わって、いくつかの例では、参照信号構成は、増大された参照信号密度（reference signal density）を含む。
【００３０】
[0030]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を実行するために、他の構造を改良または設計するための基礎として容易に利用され得る。このような等価な構成体（construction）は、添付の特許請求の範囲から逸脱しない。本明細書に開示される概念の特性と、それらの構成および動作の方法の両方とが、関連する利点とともに、添付の図に関連して検討された場合、以下の説明からより一層理解されるであろう。図の各々は、例示および説明のみを目的として提供され、特許請求の範囲の限定の定義としては提供されない。
【００３１】
[0031]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００３２】
【図１】[0032]  図１は、本開示のさまざまな態様にしたがって強化コンポーネント・キャリア（ｅＣＣ）における発展型マルチメディア・ブロードキャスト・マルチキャスト・サービス（ｅＭＢＭＳ）に関わるワイヤレス通信システムの例を例示する。
【図２】[0033]  図２は、本開示のさまざまな態様にしたがってｅＣＣにおけるｅＭＢＭＳに関わるワイヤレス通信システムの例を例示する。
【図３Ａ】[0034]  図３Ａは、本開示のさまざまな態様にしたがってｅＣＣにおけるｅＭＢＭＳに関わるＵＬ／ＤＬバースト構成の例を例示する。
【図３Ｂ】[0035]  図３Ｂは、本開示のさまざまな態様にしたがってｅＣＣにおけるｅＭＢＭＳに関わるＵＬ／ＤＬバースト構成の例を例示する。
【図４】[0036]  図４は、本開示のさまざまな態様にしたがってｅＣＣにおけるｅＭＢＭＳに関わるＤＬ  ＴＴＩの拡大図を含むＤＬバースト・パイロット・パターンの例を例示する。
【図５】[0037]  図５は、本開示のさまざまな態様にしたがってｅＣＣにおけるｅＭＢＭＳに関わるプロセス・フローの例を例示する。
【図６】[0038]  図６は、本開示のさまざまな態様にしたがってｅＣＣにおけるｅＭＢＭＳのために構成されたワイヤレス・デバイスのブロック図を示す。
【図７】[0039]  図７は、本開示のさまざまな態様にしたがってｅＣＣにおけるｅＭＢＭＳのために構成されたワイヤレス・デバイスのブロック図を示す。
【図８】[0040]  図８は、本開示のさまざまな態様にしたがってｅＣＣにおけるｅＭＢＭＳのために構成された強化コンポーネント・キャリア（ｅＣＣ）ｅＭＢＭＳモジュールのブロック図を示す。
【図９】[0041]  図９は、本開示のさまざまな態様にしたがってｅＣＣにおけるｅＭＢＭＳのために構成されたＵＥを含むシステムの図を示す。
【図１０】[0042]  図１０は、本開示のさまざまな態様にしたがってｅＣＣにおけるｅＭＢＭＳのために構成されたワイヤレス・デバイスのブロック図を示す。
【図１１】[0043]  図１１は、本開示のさまざまな態様にしたがってｅＣＣにおけるｅＭＢＭＳのために構成されたワイヤレス・デバイスのブロック図を示す。
【図１２】[0044]  図１２は、本開示のさまざまな態様にしたがってｅＣＣにおけるｅＭＢＭＳのために構成された基地局ｅＣＣ ｅＭＢＭＳモジュールのブロック図を示す。
【図１３】[0045]  図１３は、本開示のさまざまな態様にしたがってｅＣＣにおけるｅＭＢＭＳのために構成された基地局を含むシステムの図を例示する。
【図１４】[0046]  図１４は、本開示のさまざまな態様にしたがってｅＣＣにおけるｅＭＢＭＳに関わる方法を例示するフローチャートを示す。
【図１５】[0047]  図１５は、本開示のさまざまな態様にしたがってｅＣＣにおけるｅＭＢＭＳに関わる方法を例示するフローチャートを示す。
【図１６】[0048]  図１６は、本開示のさまざまな態様にしたがってｅＣＣにおけるｅＭＢＭＳに関わる方法を例示するフローチャートを示す。
【図１７】[0049]  図１７は、本開示のさまざまな態様にしたがってｅＣＣにおけるｅＭＢＭＳに関わる方法を例示するフローチャートを示す。
【図１８】[0050]  図１８は、本開示のさまざまな態様にしたがってｅＣＣにおけるｅＭＢＭＳに関わる方法を例示するフローチャートを示す。
【図１９】[0051]  図１９は、本開示のさまざまな態様にしたがってｅＣＣにおけるｅＭＢＭＳに関わる方法を例示するフローチャートを示す。
【発明を実施するための形態】
【００３３】
[0052]  いくつかのワイヤレス通信システムでは、基地局が、ユニキャスト・データまたはマルチキャスト・データを送信し得る。基地局は、マルチキャスト送信に割り当てられたリソースを使用してユニキャスト・データを送信し得る。マルチキャスト送信のためにスケジュールされた送信時間インターバル（ＴＴＩ）におけるユニキャスト・データの存在は、ＴＴＩ内に制御領域によって指示され得る。ユーザ装置（ＵＥ）は、ユニキャスト情報の存在を特定するために制御領域をモニタし得る。
【００３４】
[0053]  いくつかの場合では、強化されたマルチメディア・ブロードキャスト・マルチキャスト・サービス（ｅＭＢＭＳ）に割り当てられた時間および周波数リソースの超過分が存在し得る（例えば、ｅＭＢＭＳデータは、保有されているリソースのほんの一部を使用し得るか、それらを全く使用しない）。送信のために利用可能であるｅＭＢＭＳデータが存在しない場合、またはユニキャスト・データがｅＭＢＭＳデータより優先度が高い場合、マルチキャスト送信のためにスケジュールされたＴＴＩに割り当てられたラジオ・リソースは、ユニキャスト送信のために使用され得る。このような場合、マルチキャストがスケジュールされたバースト（multicast-scheduled burst）がＵＥに割り当てられたユニキャスト・データを搬送するかどうかを決定するために、たとえＵＥがスケジュールされたマルチキャスト送信に関与していなくても、ＵＥは、マルチキャスト送信のためにスケジュールされたＴＴＩをモニタし得る。異なるサイクリック・プレフィクス（ＣＰ）がユニキャストおよびｅＭＢＭＳのために使用される場合、ＵＥは、ＵＥがｅＭＢＭＳをモニタしているダウンリンク（ＤＬ）シンボルにおいてユニキャスト送信をモニタすることをやめ得る。いくつかの場合では、ｅＭＢＭＳデータのバーストの持続時間が、物理アップリンク・フォーマット・インジケータ・チャネル（ＰＵＦＩＣＨ）をオーバーロードすることによってＵＥに指示され得る。
【００３５】
[0054]  異なるマルチキャスト・データ・スチーム（multicast data steam）は、時分割多重（ＴＤＭ）または周波数分割多重（ＦＤＭ）のどちらかであり得る。例えば、異なるｅＭＢＭＳは、異なる周波数範囲で送信され得る。いくつかの場合では、１つまたは複数のｅＭＢＭＳ送信は、強化コンポーネント・キャリア（ｅＣＣ）上で送信され得る。ユニキャストおよびマルチキャスト送信の両方に順応するために、システムの帯域幅は、送信タイプにしたがって区分され得る。例えば、８０ＭＨｚシステムでは、プライマリ（例えば中間の）２０ＭＨｚがユニキャスト送信のために保有され得、残りの６０ＭＨｚがマルチキャスト送信のためにスケジュールされたＴＴＩのために保有され得る。いくつかの場合では、セル固有の参照信号（ＣＲＳ）は、ＤＬバーストのリソースにおいてフロント・ローディングされ得る（例えば、いくつかの初めのシンボル期間を占有し得る）。
【００３６】
[0055]  ｅＭＢＭＳシンボルのシンボル持続時間（symbol duration）は、ユニキャスト・シンボルと同じ長さであり得るか、異なり得る。例えば、ｅＭＢＭＳシンボルは、遅延拡散をカバーするためにより長いサイクリック・プレフィクスを含み得、それは、ユニキャスト・シンボルによって経験される遅延拡散より大きい可能性がある。かくして、マルチキャスト送信のためにスケジュールされたＴＴＩがユニキャスト送信のためにシンボル境界でアラインされ（aligned）得るが、ＣＰ長およびマルチキャスト送信のためにスケジュールされたＴＴＩのシンボル境界は、ユニキャスト送信のシンボル境界とは異なり得る。
【００３７】
[0056]  ｅＭＢＭＳに割り当てられたリソースがユニキャスト送信のために使用される場合、復調参照信号（ＤＭＲＳ）が、ユニキャスト送信のためにＣＲＳの代わりに使用され得る。かくして、ＣＲＳリソース・エレメント（ＲＥ）は、ＤＭＲＳまたはユニキャスト・データに取って代わられ得る。この、または他の例では、さらなるＤＭＲＳ ＲＥが、物理ダウンリンク共有チャネル（ＰＤＳＣＨ）シンボル中に低密度で組み込まれ得る（例えば、まばらに分配され得る）。
【００３８】
[0057]  ユニキャスト送信のためのｅＭＢＭＳリソースを使用するシステムにおいて、ｅＭＢＭＳ ＴＴＩは、ＣＲＳプリアンブル・シンボルおよびユニキャスト制御シンボルで開始し得る。ユニキャスト制御シンボルは、マルチキャスト・リソースによって搬送されるユニキャスト・データの存在をＵＥに指示し得る。かくして、ＵＥは、ｅＭＢＭＳリソースがユニキャスト送信のために使用される場合、ＤＬ割り当てをモニタし得る。いくつかの場合では、マルチキャスト制御チャネルおよびマルチキャスト・スケジューリングのために使用されるＴＴＩは、ｅＭＢＭＳ送信が保証され得る。すなわち、ＵＥは、リソースがユニキャスト送信のために使用されないことを知り得る。このような例では、ＵＥは、ユニキャスト・データのためにモニタするのではなく、ＣＲＳプリアンブル（またはユニキャスト制御シンボル）は、対応するＤＬサブフレームから除去され得る。しかし、基地局は、システム情報ブロック（ＳＩＢ）においてすべてのＵＥに、関連したＤＬシンボルを依然として指示し得る。ｅＭＢＭＳバースト持続時間をＵＥに指示するために、ＰＵＦＩＣＨは、オーバーロードされ得る。ダウンリンク・シンボルは、ＤＭＲＳまたはＣＲＳ送信に基づき得る。
【００３９】
[0058]  ＳＩＢは、ｅＭＢＭＳがスケジュールされたＴＴＩに割り当てられた時間および周波数リソースを指示し得る。ＳＩＢはまた、マルチキャスト制御チャネル（ＭＣＣＨ）送信（および必要であればレイヤ情報）に割り当てられた時間および周波数リソースを指示する情報を含み得る。マルチキャスト・トラフィック・チャネル（ＭＴＣＨ）がＭＣＣＨによって多重化される場合、ＭＴＣＨに関わるＴＴＩおよび変調およびコード化スキーム（ＭＣＳ）は、ＭＣＣＨのＴＴＩおよびＭＣＳに続き得る。ＭＣＣＨは、各物理マルチキャスト・チャネル（ＰＭＣＨ）およびＭＣＨスケジューリング情報（ＭＳＩ）（および必要であればレイヤ情報）に割り当てられた時間および周波数リソースを指示し得る。ＭＴＣＨがＭＳＩによって多重化される場合、ＭＴＣＨに関わるＴＴＩおよびＭＣＳは、ＭＳＩのＴＴＩおよびＭＣＳに続き得る。ＭＳＩ／ＭＴＣＨおよびＭＣＣＨの両方が多重化される場合、ＭＣＳおよびＴＴＩはＭＣＣＨ構成のそれに続き得る。ＭＳＩは、各ＭＴＣＨに割り当てられた時間および周波数リソースを指示し得る。ＭＳＩは、各ＭＴＣＨにおいて各ＴＴＩに関わるシンボルの数およびＴＴＩの数をさらに指示し得る。
【００４０】
[0059]  低遅延送信のためにＭＳＩおよびＭＣＣＨの高速取得を容易にするように、２つの物理制御チャネルが使用される：物理マルチキャスト制御チャネル（ＰＭＣＣＨ）および物理マルチキャスト・スケジューリング・インジケータ・チャネル（ＰＭＳＩＣＨ）。ＳＩＢは、各ＰＭＣＣＨを備えるｅＭＢＭＳシンボルを指示し得る。ＰＭＣＣＨは、ＰＭＳＩＣＨを備えるｅＭＢＭＳシンボルを指示し得る。ＰＭＣＣＨはまた、各ＰＭＣＨに割り当てられた時間および周波数リソースを指示し得る。ＰＭＳＩＣＨは、各ＭＴＣＨ（例えばＭＳＩ）に割り当てられた時間および周波数リソースのスケジューリングを指示し得る。ＭＳＩは、各ＭＴＣＨにおいて（各ＴＴＩに関わるシンボルの数および）ＴＴＩの数をさらに指示し得る。ＰＭＣＣＨおよびＰＭＳＩＣＨは、存在する場合、ＰＭＣＣＨおよびＰＭＳＩＣＨがアップデートされるまでこれらが次のｅＭＢＭＳ送信に適用されることができるように、ＭＢＭＳ ＴＴＩの開始時に送信され得る。
【００４１】
[0060]  いくつかの場合では、ユニキャスト・データは、ｅＭＢＭＳデータに代わってｅＭＢＭＳがスケジュールされたリソースにおいて送信され得、それは、送信プリエンプション（transmission preemption）と呼ばれ得る。送信プリエンプションがＦＤＭシステムにおいて使用される場合、ユニキャスト制御領域は、ユニキャスト送信に割り当てられた領域内に存在し得、この結果、ＵＥは、プリエンプション指示に関してモニタし得る。ＴＤＭシステムでは、プリエンプション指示はｅＭＢＭＳ領域に加えられ得、ｅＭＢＭＳ送信速度はプリエンプション指示のために使用される対応するＲＥに一致し得る。しかしながら、ｅＭＢＭＳが拡張されたＣＰを使用する場合、ｅＭＢＭＳまたはユニキャスト送信をモニタしているＵＥは、プリエンプション指示を同時に受信し得ない。かくして、プリエンプション指示は、ｅＭＢＭＳおよびユニキャストが同じＣＰ長を使用するときのために保有され得る。
【００４２】
[0061]  以下の説明は、例を提供しており、特許請求の範囲に記載されている範囲、適用可能性、または例を限定してはいない。本開示の範囲から逸脱することなしに、論述される要素の機能および配置に変更がなされ得る。さまざまな例は、適宜、さまざまなプロシージャまたはコンポーネントを省略、代用、あるいは追加し得る。例えば、説明される方法は、説明されるものとは異なる順序で実施され得、さまざまなステップが追加、省略、または組み合わされ得る。また、いくつかの例に関して説明される複数の特徴は、他の例において組み合され得る。
【００４３】
[0062]  図１は、本開示のさまざまな態様にしたがって、ワイヤレス通信システム１００の例を例示する。システム１００は、基地局１０５、ＵＥ１１５、およびコア・ネットワーク１３０を含む。コア・ネットワーク１３０は、ユーザ認証、アクセス承認、追跡、インターネット・プロトコル（ＩＰ）接続、および他のアクセス、ルーティング、またはモビリティ機能を提供し得る。基地局１０５は、バックホール・リンク（backhaul links）１３２（例えば、Ｓ１など）を通してコア・ネットワーク１３０とインターフェースで接続し得る。基地局１０５は、ＵＥ１１５との通信のための無線構成およびスケジューリングを実施し得るか、または基地局コントローラ（図示せず）の制御のもとで動作し得る。さまざまな例では、基地局１０５は、直接的にまたは間接的に（例えば、コア・ネットワーク１３０を通じて）、バックホール・リンク１３４（例えば、Ｘ１など）を通して互いと通信し得、それは、有線または無線の通信リンクであり得る。
【００４４】
[0063]  基地局１０５は、１つまたは複数の基地局アンテナを介してＵＥ１１５とワイヤレスで通信し得る。例えば、基地局１０５は、ブロードキャスト、マルチキャスト、またはユニキャスト送信を介してＵＥ１１５に制御およびデータを送信し得る。基地局１０５の各々は、通信カバレッジをそれぞれの地理的カバレッジ・エリア１１０に提供し得る。いくつかの例では、基地局１０５は、基地トランシーバ局、無線基地局、アクセス・ポイント、無線トランシーバ、ノードＢ、ｅノードＢ（ｅＮＢ）、ホーム・ノードＢ、ホームｅノードＢ、または何らかの他の適した専門用語で呼ばれ得る。基地局１０５のための地理的カバレッジ・エリア１１０は、カバレッジ・エリアの一部のみを構成するセクタに分割され得る（図示せず）。ワイヤレス通信システム１００は、異なるタイプの基地局１０５（例えば、マクロおよび／またはスモール・セルの基地局）を含み得る。異なる技術のために重複している地理的カバレッジ・エリア１１０が存在し得る。
【００４５】
[0064]  いくつかの例において、ワイヤレス通信システム１００は、ロング・ターム・エボリューション（ＬＴＥ）／ＬＴＥ−アドバンスド（ＬＴＥ−Ａ）ネットワークである。ＬＴＥ／ＬＴＥ−Ａネットワークでは、発展型ノードＢ（ｅＮＢ）という用語は概して、基地局１０５を説明するために使用され得、一方で、ＵＥという用語は概して、ＵＥ１１５を説明するために使用され得る。ワイヤレス通信システム１００は、異なるタイプのｅＮＢがさまざまな地理的領域にカバレッジを提供する異種ＬＴＥ／ＬＴＥ−Ａネットワークであり得る。例えば、各ｅＮＢまたは基地局１０５は、マクロ・セル、スモール・セル、または他のタイプのセルに通信カバレッジを提供し得る。「セル（cell）」という用語は、コンテキストに依存して、基地局、基地局に関連付けられたキャリアまたはコンポーネント・キャリア、あるいはキャリアまたは基地局のカバレッジ・エリア（例えば、セクタなど）を説明するために使用されることができる３ＧＰＰ（登録商標）の用語である。
【００４６】
[0065]  マクロ・セルは概して、比較的大きい地理的エリア（例えば、半径数キロメートル）をカバーし、ネットワーク・プロバイダにサービス加入しているＵＥ１１５による無制限のアクセスを可能にし得る。スモール・セルは、マクロ・セルと比較して、低電力の基地局であり、それは、マクロ・セルと同じまたは異なる（例えば、認可、無認可など）周波数帯域で動作し得る。スモール・セルは、さまざまな例にしたがって、ピコ・セル、フェムト・セル、およびマイクロ・セルを含み得る。例えば、ピコ・セルは、小さい地理的エリアをカバーし、ネットワーク・プロバイダにサービス加入しているＵＥ１１５による無制限アクセスを可能にし得る。フェムト・セルもまた、小さい地理的エリア（例えば、家）をカバーし得、フェムト・セルとの関連付けを有するＵＥ１１５（例えば、クローズド加入者グループ（ＣＳＧ）中のＵＥ１１５、家の中にいるユーザのためのＵＥ１１５など）による制限されたアクセスを提供し得る。マクロ・セルに関わるｅＮＢは、マクロｅＮＢと呼ばれ得る。スモール・セルのためのｅＮＢは、スモール・セルｅＮＢ、ピコｅＮＢ、フェムトｅＮＢ、またはホームｅＮＢと称され得る。ｅＮＢは、１つまたは多数（例えば、２つ、３つ、４つなど）のセル（例えば、コンポーネント・キャリア）をサポートし得る。
【００４７】
[0066]  ワイヤレス通信システム１００は、同期または非同期動作をサポートし得る。同期動作の場合、基地局１０５は、類似したフレーム・タイミングを有し得、異なる基地局１０５からの送信が時間的にほぼアラインされ得る。非同期動作では、基地局１０５は異なるフレーム・タイミングを有し得、異なる基地局１０５からの送信が時間的にアラインされないこともあり得る。本明細書に説明される技法は、同期または非同期動作のいずれかに使用され得る。
【００４８】
[0067]  さまざまな開示される例のうちのいくつかに順応し得る通信ネットワークは、レイヤード・プロトコル・スタックにしたがって動作するパケット・ベースのネットワークであり得、ユーザ・プレーンにおけるデータは、インターネット・プロトコル（ＩＰ）に基づき得る。無線リンク制御（ＲＬＣ）レイヤは、論理チャネルを通して通信するためにパケット・セグメンテーションおよびリアセンブリを実施し得る。媒体アクセス制御（ＭＡＣ）レイヤは、優先処理およびトランスポート・チャネルへの論理チャネルの多重化を行い得る。ＭＡＣレイヤはまた、リンク効率を向上させるためにＭＡＣレイヤにおける再送を提供するためにハイブリッド自動再送要求（ＨＡＲＱ）も使用し得る。制御プレーンにおいて、無線リソース制御（ＲＲＣ）プロトコル・レイヤは、ＵＥ１１５と基地局１０５との間のＲＲＣ接続の確立、構成、および維持を提供し得る。ＲＲＣプロトコル・レイヤはまた、ユーザ・プレーン・データのための無線ベアラをサポートするコア・ネットワーク１３０のためにも使用され得る。物理（ＰＨＹ）レイヤにおいて、トランスポート・チャネルは、物理チャネルにマッピングされ得る。
【００４９】
[0068]  ＵＥ１１５は、ワイヤレス通信システム１００全体にわたって分散され得、各ＵＥ１１５は、固定式または移動式であり得る。ＵＥ１１５はまた、モバイル局、加入者局、モバイル・ユニット、加入者ユニット、ワイヤレス・ユニット、遠隔ユニット、モバイル・デバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、または何らかの他の適した専門用語を含み得るか、または当業者によってそれらで呼ばれ得る。ＵＥ１１５は、セルラ電話、携帯情報端末（ＰＤＡ）、ワイヤレス・モデム、ワイヤレス通信デバイス、ハンドヘルド・デバイス、タブレット・コンピュータ、ラップトップ・コンピュータ、コードレス電話、ワイヤレス・ローカル・ループ（ＷＬＬ）局などであり得る。ＵＥは、マクロｅＮＢ、スモール・セルｅＮＢ、中継基地局などを含むさまざまなタイプの基地局およびネットワーク機器と通信することが可能であり得る。
【００５０】
[0069]  ワイヤレス通信システム１００に示される通信リンク１２５は、ＵＥ１１５から基地局１０５へのアップリンク（ＵＬ）送信、または基地局１０５からＵＥ１１５へのＤＬ送信を含み得る。ダウンリンク送信は、順方向リンク送信とも呼ばれ得、一方でアップリンク送信は、逆方向リンク送信とも呼ばれ得る。各通信リンク１２５は、１つまたは複数のキャリアを含み得、ここで、各キャリアは、上述されたさまざまな無線技術にしたがって変調された複数のサブキャリア（例えば、異なる周波数の波形信号）によって構成される信号であり得る。各キャリアは、システム帯域幅の一部であり得、それは、ワイヤレス通信システム１００における通信専用の全範囲の周波数であり得る。システム帯域幅は、送信タイプ（例えばユニキャストまたはマルチキャスト）にしたがって割り当てられ得る。かくして、帯域幅のある一部はユニキャスト送信のために保有され得、帯域幅のある一部はマルチキャスト送信のためにスケジュールされ得る。変調された信号は、異なるサブキャリア上で送られ得、制御情報（例えば、参照信号、制御チャネルなど）、オーバーヘッド情報、ユーザ・データなどを搬送し得る。通信リンク１２５は、（例えば、ペアのスペクトル・リソースを使用する）周波数分割複信（ＦＤＤ）、または（例えば、ペアではないスペクトル・リソースを使用する）時分割複信（ＴＤＤ）動作を使用して双方向通信を送信し得る。ＦＤＤに関するフレーム構造（例えば、フレーム構造タイプ１）およびＴＤＤに関するフレーム構造（例えば、フレーム構造タイプ２）が定義され得る。
【００５１】
[0070]  システム１００のいくつかの例では、基地局１０５またはＵＥ１１５は、基地局１０５とＵＥ１１５との間での通信品質および信頼性を改善するために、アンテナ・ダイバーシティ・スキームを用いるための複数のアンテナを含み得る。さらに、または代わって、基地局１０５またはＵＥ１１５は、同じまたは異なるコード化されたデータを搬送する複数の空間レイヤを送信するために、マルチ・パス環境を活用し得る多入力多出力（ＭＩＭＯ）技術を用い得る。いくつかの場合では、マルチ・パス環境は、伝搬遅延（propagation delay）（例えば遅延拡散）を発生させ得る。マルチキャスト送信のためにスケジュールされたＴＴＩは、ＵＥ１１５に向けられたものであり、それは、送信元からさまざまな距離のところに位置され得る。かくして、マルチキャスト送信のためにスケジュールされたＴＴＩは、遅延拡散の異なる長さを経験し得、それは、ユニキャスト送信によって経験されるものよりも大きい可能性がある。したがって、マルチキャスト送信のためにスケジュールされたＴＴＩは、ユニキャスト送信よりも長いＣＰを使用し得る。
【００５２】
[0071]  ワイヤレス通信システム１００は、複数のセルまたはキャリア上での動作をサポートし得、その特徴はキャリア・アグリゲーション（ＣＡ）またはマルチ・キャリア動作と呼ばれ得る。キャリアはまた、コンポーネント・キャリア（ＣＣ）、レイヤ、チャネルなどと呼ばれ得る。「キャリア」、「コンポーネント・キャリア」、「セル」、および「チャネル」という用語は、本明細書では交換可能に使用され得る。ＵＥ１１５は、キャリア・アグリゲーションのための１つまたは複数のアップリンクＣＣおよび複数のダウンリンクＣＣで構成され得る。キャリア・アグリゲーションは、ＦＤＤおよびＴＤＤコンポーネント・キャリアの両方で使用され得る。
【００５３】
[0072]  キャリアはまた、ＣＣ、レイヤ、チャネルなどと呼ばれ得る。「コンポーネント・キャリア」という用語は、ＣＡ動作においてＵＥによって使用されるマルチ・キャリアの各々を指し得、システム帯域幅の他の部分とは異なり得る。例えば、コンポーネント・キャリアは、他のコンポーネント・キャリアと組み合わせて、または独立して使用されることが可能な比較的狭い帯域幅のキャリアであり得る。各コンポーネント・キャリアは、ＬＴＥ基準のリリース８またはリリース９に基づいて単独のキャリアと同じ能力を提供し得る。多数のコンポーネント・キャリアは、より大きな帯域幅（例えばより速いデータ速度）をいくつかのＵＥ１１５に提供するために同時に使用され得るかアグリゲートされ得る。かくして、個々のコンポーネント・キャリアは、レガシＵＥ１１５（例えばＬＴＥリリース８またはリリース９をインプリメントするＵＥ１１５）に逆に適合し（backwards compatible）得、一方で、他のＵＥ１１５（例えばポスト・リリース８／９ＬＴＥバージョンをインプリメントするＵＥ１１５）は、マルチ・キャリア・モードにおいて多数のコンポーネント・キャリアで構成され得る。ＤＬに使用されるキャリアは、ＤＬ ＣＣと称され、ＵＬに使用されるキャリアは、ＵＬ ＣＣと称され得る。ＵＥ１１５は、キャリア・アグリゲーションのための１つまたは複数のＵＬ ＣＣおよび複数のＤＬ ＣＣで構成され得る。各キャリアは、制御情報（例えば、参照信号、制御チャネルなど）、オーバーヘッド情報、データなどを送信するために使用され得る。
【００５４】
[0073]  ＵＥ１１５は、複数のキャリアを使用して単一の基地局１０５と通信し得、また、異なるキャリアで同時に複数の基地局と通信し得る。基地局１０５の各セルは、ＵＬ ＣＣおよびＤＬ ＣＣを含み得る。基地局１０５に関わる各サービング・セルのカバレッジ・エリア１１０は、異なり得る（例えば異なる周波数バンドにおけるＣＣは異なるパス損失を経験し得る）。いくつかの例では、１つのキャリアは、ＵＥ１１５に対して、プライマリ・キャリア、またはプライマリ・コンポーネント・キャリア（ＰＣＣ）と称され、それは、プライマリ・セル（ＰＣｅｌｌ）によってサーブされ得る。プライマリ・セルは、１ＵＥ当たり（on a per-UE basis）より上位のレイヤ（例えば、ラジオ・リソース制御（ＲＣＣ）など）によって半静的に（semi-statically）構成され得る。物理アップリンク制御チャネル（ＰＵＣＣＨ）上で送信されるスケジューリング情報、チャネル品質インジケータ（ＣＱＩ）、および肯定応答（ＡＣＫ）／否定応答（ＮＡＣＫ）のような特定のアップリンク制御情報（ＵＣＩ）は、プライマリ・セルによって搬送される。さらなるキャリアは、セカンダリ・キャリアまたはセカンダリ・コンポーネント・キャリア（ＳＣＣ）と称され得、それは、セカンダリ・セル（ＳＣｅｌｌ）によってサーブされ得る。セカンダリ・セルは、同様に１ＵＥ当たり半静的に構成され得る。いくつかの場合では、セカンダリ・セルは、プライマリ・セルと同じ制御情報を送信するように構成されない、または、それらを含まない可能性がある。いくつかの例では、ＵＥ１１５のために構成されたＣＣは、ｅＣＣであり得る。ｅＣＣは、例えば、さまざまなＴＴＩを使用し得、他のＣＣとは異なる持続時間のシンボルを含み得、または、無認可スペクトル（unlicensed spectrum）を使用し得る。
【００５５】
[0074]  幅広く言うと、無認可スペクトルは、いくつかの管轄では、６００ＭＨｚから６ＧＨｚまでの範囲に及び得る。本明細書に使用されているように、「無認可スペクトル（unlicensed spectrum）」または「共有スペクトル（shared spectrum）」という用語は、かくして産業科学医療用（ＩＳＭ）無線帯域を指すことができ、それら帯域の周波数にかかわらない。いくつかの例では、無認可スペクトルは、Ｕ−ＮＩＩ無線帯域であり、これは、５ＧＨｚまたは５Ｇ帯域とも称され得る。対照的に、「認可スペクトル（licensed spectrum）」または「セルラ・スペクトル（cellular spectrum）」という用語は、本明細書では、所管官庁からの管理的認可の下にあるワイヤレス・ネットワーク・オペレータによって利用されるワイヤレス・スペクトルのことを指すために使用され得る。
【００５６】
[0075]  ＬＴＥシステムは、ＤＬ上で直交周波数分割多元接続（ＯＦＤＭＡ）を、ＵＬ上でシングル・キャリア周波数分割多元接続（ＳＣ−ＦＤＭＡ）を利用し得る。ＯＦＤＭおよびＳＣ−ＦＤＭＡは、システム帯域幅を複数（Ｋ）個の直交サブキャリアに区分し、それはまた、一般にトーンまたはビーンと称される。各サブキャリアは、データで変調され得る。隣接するサブキャリア間の間隔は、固定であり得、サブキャリアの総数（Ｋ個）は、システム帯域幅に依存し得る。例えば、Ｋは、１．４、３、５、１０、１５、または２０ＭＨｚの（ガード帯域を有する）対応するシステム帯域幅に対して、それぞれ、１５ＫＨｚのサブキャリア間隔で７２、１８０、３００、６００、９００、または１２００に等しくなり得る。システム帯域幅はまた、サブ帯域に区分され得る。例えば、サブ帯域は、１．０８ＭＨｚをカバーし得、１、２、４、８、または１６個のサブ帯域が存在し得る。いくつかの場合では、システム帯域幅は、送信タイプ（例えばユニキャストまたはマルチキャスト）にしたがって区分され得る。かくして、帯域幅のある一部はユニキャスト送信のために保有され得、帯域幅のある一部はマルチキャスト（例えばｅＭＢＭＳ）送信のために保有され得る。例えば、８０ＭＨｚシステムでは、２０ＭＨｚはユニキャスト送信のために割り当てられ得、残りの６０ＭＨｚはｅＭＢＭＳがスケジュールされたＴＴＩのために割り当てられ得る。ｅＭＢＭＳのために保有されたリソースは、連続している、またはバラバラであり得る（例えば、帯域幅の中間トーンは、ｅＭＢＭＳがスケジュールされたＴＴＩに対してエッジ・トーンを残して、ユニキャスト送信に割り当てられ得る）。
【００５７】
[0076]  データは、論理チャネル、送信チャネル、および物理レイヤ・チャネルに分けられ得る。チャネルはまた、制御チャネルおよびトラフィック・チャネルに分類され得る。論理制御チャネルは、ページング情報のためのページング制御チャネル（ＰＣＣＨ）、ブロードキャスト・システム制御情報のためのブロード制御チャネル（ＢＣＣＨ）、マルチメディア・ブロードキャスト・マルチキャスト・サービス（ＭＢＭＳ）スケジューリングおよび制御情報を送信するためのＭＣＣＨ、専用制御情報を送信するための専用制御チャネル（ＤＣＣＨ）、ランダム・アクセス情報のための共通制御チャネル（ＣＣＣＨ）、専用ＵＥデータのためのＤＴＣＨ、およびマルチキャスト・データのための、ＭＴＣＨを含み得る。
【００５８】
[0077]  ＤＬ送信チャネルは、ブロードキャスト情報のためのブロードキャスト・チャネル（ＢＣＨ）、データ送信のためのダウンリンク共有チャネル（ＤＬ−ＳＣＨ）、ページング情報のためのページング・チャネル（ＰＣＨ）、およびマルチキャスト送信のためにスケジュールされたＴＴＩのためのマルチキャスト・チャネル（ＭＣＨ）を含み得る。ＵＬ送信チャネルは、アクセスのためのランダム・アクセス・チャネル（ＲＡＣＨ）、およびデータのためのアップリンク共有チャネル（ＵＬ−ＳＣＨ）を含み得る。ＤＬ物理チャネルは、ブロードキャスト情報のための物理ブロードキャスト・チャネル（ＰＢＣＨ）、制御フォーマット情報のための物理制御フォーマット・インジケータ・チャネル（ＰＣＦＩＣＨ）、制御およびスケジューリング情報のための物理ダウンリンク制御チャネル（ＰＤＣＣＨ）、ＨＡＲＱステータス・メッセージのための物理ＨＡＲＱインジケータ・チャネル（ＰＨＩＣＨ）、ユーザ・データのための物理ダウンリンク共有チャネル（ＰＤＳＣＨ）およびマルチキャスト・データのための物理マルチキャスト・チャネル（ＰＭＣＨ）を含み得る。
【００５９】
[0078]  ＵＬ物理チャネルは、アクセス・メッセージのための物理ランダム・アクセス・チャネル（ＰＲＡＣＨ）、制御データのための物理アップリンク制御チャネル（ＰＵＣＣＨ）、ユーザ・データのための物理アップリンク共有チャネル（ＰＵＳＣＨ）を含み得る。ＤＬ物理チャネルは、物理アップリンク・フォーマット・インジケータ・チャネル（ＰＵＦＩＣＨ）および物理ダウンリンク・フォーマット・インジケータ・チャネル（ＰＤＦＩＣＨ）を含み得、それらは、それぞれ、アップリンクおよびダウンリンク送信の長さを示し得る。いくつかの場合では、ＰＵＦＩＣＨは、ダウンリンク送信内のｅＭＢＭＳバースト持続時間の長さを指示するために使用され得る。さらに、ｅＭＢＭＳをサポートするためにＰＭＣＣＨおよびＰＭＳＩＣＨが存在し得る。ＰＭＣＣＨは、（例えば１５ＭＴＣＨまでの）各ＰＭＣＨおよびＭＳＩ（および必要であればレイヤ情報）に割り当てられる時間および周波数リソースを指示し得る。ＭＴＣＨがＭＳＩによって多重化される場合、ＭＴＣＨに関わるＴＴＩおよびＭＣＳは、ＭＳＩに関わるＴＴＩおよびＭＣＳに続き得る。ＰＭＳＩＣＨは、各ＭＴＣＨ（例えばＭＳＩ）に割り当てられた時間および周波数リソースのスケジューリングを指示し得る。ＭＳＩは、各ＭＴＣＨにおいて（各ＴＴＩに関わる多数のシンボルおよび）多数のＴＴＩをさらに指示し得る。
【００６０】
[0079]  いくつかの場合では、ｅＭＢＭＳバーストは、制御およびマルチキャスト・データのための異なるＴＴＩ持続時間で送信され得る。例えば、ｅＭＢＭＳバーストは、（１つまたは複数の）第１のシンボルが制御情報（例えばＭＳＩ、ＭＣＣＨなど）のために使用され、残りのシンボルがマルチキャスト・データ（例えばＭＴＣＨ）を含む場合、１００個のシンボルを有し得る。このような場合、制御情報は最小のＴＴＩ長で送信され得る。
【００６１】
[0080]  ＰＤＣＣＨは、制御チャネル・エレメント（ＣＣＥ）においてダウンリンク制御情報（ＤＣＩ）を搬送し得、それは、９個の論理的に連続したリソース・エレメント・グループ（ＲＥＧ）を含み得、ここにおいて各ＲＥＧは４個のＲＥを含む。ＤＣＩは、ＤＬスケジューリング割り当てに関わる情報、ＵＬリソース・グラント、送信スキーム、ＵＬパワー制御、ＨＡＲＱ情報、変調およびコード化スキーム（ＭＣＳ）および他の情報を含み得る。ＤＣＩメッセージのサイズおよびフォーマットは、ＤＣＩによって搬送される情報の量およびタイプによって異なる可能性がある。例えば、空間多重化がサポートされる場合、ＤＣＩメッセージのサイズは、連続した周波数割り当てと比較すると大きい。同様に、ＭＩＭＯを利用するシステムに関して、ＤＣＩは、さらなるシグナリング情報を含み得る。ＤＣＩのサイズおよびフォーマットは、帯域幅、アンテナ・ポートの数、および複信モード（duplexing mode）のようなファクタ、および情報の量に依存し得る。
【００６２】
[0081]  ＰＤＣＣＨは、複数のユーザに関連したＤＣＩメッセージを搬送することができ、各ＵＥ１１５は、それに向けられたＤＣＩメッセージを復号し得る。例えば、各ＵＥ１１５は、セル・ラジオ・ネットワーク・テンポラリ・アイデンティティ（Ｃ−ＲＮＴＩ（cell radio network temporary identity））に割り当てられ得、各ＤＣＩに付随している周期的冗長検査（ＣＲＣ（cyclic redundancy check））ビットは、Ｃ−ＲＮＴＩに基づいてスクランブリングされ得る。ユーザ装置におけるオーバーヘッドおよびパワー消費を減じるために、ＣＣＥ位置の限定されたセットが、特定のＵＥ１１５に関連したＤＣＩに対して特定されることができる。ＣＣＥは、（例えば１、２、４、および８個のＣＣＥのグループに）グループ化され得、ユーザ装置が関連性を見つけ得るＣＣＥ位置のセットが、特定され得る。これらのＣＣＥは、サーチ・スペースとして知られ得る。サーチ・スペースは、２つの領域、すなわち共通のＣＣＥ領域またはサーチ・スペース、およびＵＥ固有の（専用の）ＣＣＥ領域またはサーチ・スペース、に区分されることができる。共通のＣＣＥ領域は、基地局１０５によってサーブされるすべてのＵＥ１１５によってモニタされ得、ページング情報、システム情報、ランダム・アクセス・プロシージャなどのような情報を含み得る。ＵＥ固有のサーチ・スペースは、ユーザ固有の制御情報を含み得る。ＣＣＥはインデックス付きであり得、共通のサーチ・スペースは、ＣＣＥ０から開始し得る。ＵＥ固有のサーチ・スペースに関わる開始インデックス（starting index）は、Ｃ−ＲＮＴＩ、サブフレーム・インデックス、ＣＣＥアグリゲーション・レベルおよびランダム・シードに依存し得る。ＵＥ１１５は、ブラインド検知として知られるプロセスを実施することによってＤＣＩを復号することを試み得、これの間に、サーチ・スペースはＤＣＩが検知されるまでランダムに復号される。ブラインド復号の間、ＵＥ１１５は、それのＣ−ＲＮＴＩを使用してすべての潜在的なＤＣＩメッセージをスクランブル解析する（descramble）ように試み得、その試みが成功したかどうかを決定するためにＣＲＣチェックを実施し得る。いくつかの場合では、ＣＣＥは、強化ＣＣＥ（ｅＣＣＥ）であり得る。すなわち、それらはｅＣＣと共に使用するために設計され得、それは、減じられたシンボル期間またはより柔軟なスケジューリング・ルールの使用を含み得る。
【００６３】
[0082]  同期情報およびマスター情報ブロック（ＭＩＢ）を受信した後に、ＵＥ１１５は、１つまたは複数のシステム情報ブロック（ＳＩＢ）を受信し得る。異なるＳＩＢが、搬送されるシステム情報のタイプにしたがって定義され得る。例えば、ＳＩＢ１は、アクセス情報、例えばセル・アイデンティティ情報を含み得、また、ＵＥ１１５がセル上にとどまる（camp）ことが可能であるかどうかを示し得る。ＳＩＢ１はまた、セル選択情報（またはセル選択パラメータ）を含み得る。さらに、ＳＩＢ１は、他のＳＩＢに関わるスケジューリング情報を含み得る。ＳＩＢ２は、共通および共有のチャネルに関連したアクセス情報およびパラメータを含み得る。ＳＩＢ３は、セル再選択パラメータを含み得る。ＳＩＢ４およびＳＩＢ５は、隣接するＬＴＥセルに関わる再選択情報を含み得る。ＳＩＢ６からＳＩＢ８は、非ＬＴＥ（例えばユニバーサル・モバイル・テレコミュニケーション・システム（ＵＭＴＳ）、ＧＥＲＡＮ、および符号分割多元接続（ＣＤＭＡ））の隣接するセル）に関わる再選択情報を含み得る。ＳＩＢ９は、ホームｅＮＢまたは基地局の名前を含み得る。ＳＩＢ１０からＳＩＢ１２は、緊急時通報情報（例えば津波および地震警報）を含み得る。そしてＳＩＢ１３は、ｅＭＢＭＳ構成に関わる情報を含み得る。いくつかの場合では、ＳＩＢは、ｅＭＢＭＳがスケジュールされたＴＴＩに割り当てられた時間および周波数リソースを指示するために使用され得、それは、ｅＭＢＭＳ ＵＥ１１５および非ＭＢＭＳ ＵＥ１１５の両方によって使用され得る。
【００６４】
[0083]  キャリアは、（例えば、ペアにされたスペクトル・リソースを使用する）ＦＤＤまたは（例えば、ペアにされていないスペクトル・リソースを使用する）ＴＤＤ動作を使用して、双方向通信を送信し得る。ＦＤＤについてのフレーム構造（例えば、フレーム構造タイプ１）およびＴＤＤについてのフレーム構造（例えば、フレーム構造タイプ２）が定義され得る。ＴＤＤフレーム構造に関して、各サブフレームは、ＵＬまたはＤＬトラフィックを搬送し得、空間サブフレームは、ＤＬおよびＵＬ送信間の切り替えのために使用され得る。ラジオ・フレーム内のＵＬおよびＤＬサブフレームの割り当ては、対称または非対称であり得、静的に決定されるか、半静的に再構成され得る。空間サブフレームは、ＤＬまたはＵＬトラフィックを搬送し得、ＤＬトラフィックとＵＬトラフィックとの間のガード期間（ＧＰ）を含み得る。ＵＬトラフィックからＤＬトラフィックへの切り替えは、空間サブフレームまたはガード期間の使用なしで、ＵＥ１１５においてタイミング・アドバンスを設定することによって達成され得る。フレーム期間（例えば、１０ｍｓ）またはフレーム期間の半分（例えば、５ｍｓ）に等しい切り替えポイント周期性を伴うＵＬ−ＤＬ構成もまたサポートされ得る。例えば、ＴＤＤフレームは、１つまたは複数の空間フレームを含み得、空間フレーム間の期間は、そのフレームに関するＴＤＤのＤＬからＵＬへの切り替えポイント周期性を決定し得る。ＴＤＤの使用は、ペアにされたＵＬ−ＤＬスペクトル・リソースを必要としないで柔軟な展開を提供する。
【００６５】
[0084]  いくつかのＴＤＤネットワーク展開では、干渉が、ＵＬおよびＤＬ通信間に引き起こされ得る（例えば、異なる基地局からのＵＬおよびＤＬ通信間の干渉、基地局とＵＥからのＵＬおよびＤＬ通信間の干渉など）。例えば、異なる基地局１０５が異なるＴＤＤ ＵＬ−ＤＬ構成にしたがって重複するカバレッジ・エリア内で異なるＵＥ１１５をサーブする場合、サーブしている基地局１０５からのＤＬ送信を受信して復号しようと試みるＵＥ１１５が、他の、近接して配置されたＵＥ１１５からのＵＬ送信による干渉を受ける可能性がある。どのようにＵＬおよびＤＬ送信が複信されるかに関わらず、（マルチキャスト信号を含む）異なるＵＥ１１５に関わるＵＬおよびＤＬ信号は、ＦＤＭまたはＴＤＭにしたがって多重化され得る。
【００６６】
[0085]  いくつかの基地局１０５は、カバレッジ・エリア１１０内のいくつかのまたはすべてのＵＥ１１５にマルチメディア・データをブロードキャストするために、利用可能なダウンリンク帯域幅の一部を使用し得る。例えば、ワイヤレス通信システムは、モバイルＴＶコンテンツ（mobile TV content）をブロードキャストすること、または、コンサートまたはスポーツのイベントのようなライブ・イベントの近くに位置されたＵＥ１１５にライブ・イベント・カバレッジをマルチキャストすることを、行うように構成され得る。いくつかの場合では、このことは、帯域幅のより有効な利用を可能にし得る。これらの基地局は、ｅＭＢＭＳまたはｅＭＢＭＳセルと呼ばれ得る。いくつかの場合では、ｅＭＢＭＳセルは、ブロードキャスト・メディアが各サポート・セルによって同じ周波数リソース上で送信されるように、ｅＭＢＭ単一周波数ネットワーク（ＭＢＳＦＮ）において一緒にグループ化され得る。しかしながら、カバレッジ・エリアにおけるいくつかのＵＥ１１５は、ｅＭＢＭＳデータを受信しないことを選択し得る。いくつかの場合では、送信するために利用可能なｅＭＢＭＳデータはいずれも存在しない可能性があり、ｅＭＢＭＳデータは利用可能なユニキャスト・データより低い優先度を有し得る。このような例では、ユニキャスト・データが、ｅＭＢＭＳがスケジュールされたＴＴＩに割り当てられるリソースを使用して、ｅＭＢＭＳデータの代わりに送信され得る。ユニキャスト・データがｅＭＢＭＳデータに取って代わったことを指示するために、ダウンリンク送信は、ダウンリンク・バーストの開始時に制御シンボルを含み得る。かくして、ＵＥは、制御シンボルを参照して、ｅＭＢＭＳがスケジュールされたＴＴＩがＵＥに割り当てられたデータを含むか否かを決定し得る。例えば、制御シンボルは、より高い優先度のユニキャスト・データが、ｅＭＢＭＳがスケジュールされたＴＴＩにおいてより低い優先度のマルチキャスト・データに取って代わったことを指示する制御メッセージ（例えばプリエンプション指示（preemption indication））を含み得る。
【００６７】
[0086]  基地局１０５は、ＵＥ１１５のチャネル推定およびコヒーレント復調を助けるためにセル固有の参照信号（ＣＲＳ）のような周期的なパイロット・シンボルをインサートし得る。ＣＲＳは、５０４個の異なるセル・アイデンティティのうちの１つを含み得る。セル・アイデンティティは、直角位相シフト・キーイング（ＱＰＳＫ）を使用して変調され得、パワー・ブーストされ得（例えば、周りのデータ・エレメントより６ｄＢ高いところで送信され得）、ノイズおよび干渉に対する回復力を持つ（resilient）ようになり得る。ＣＲＳは、受信するＵＥ１１５のアンテナ・ポートまたはレイヤの（４個までの）数に基づいて各リソース・ブロックで４から１６個のリソース・エレメントに組み込まれ得る。時として、ＣＲＳプリアンブル・シンボルは、（例えばｅＭＢＭＳがスケジュールされたバーストのような）ダウンリンク送信の開始時に存在し得る。ＣＲＳプリアンブル・シンボルは、組み込まれたＣＲＳに加えてＣＲＳを提供し得る。基地局１０５のカバレッジ・エリア１１０においてすべてのＵＥ１１５によって使用され得るＣＲＳに加えて、ＤＭＲＳが、特定のＵＥ１１５に向けられ得、それらのＵＥ１１５に割り当てられたリソース・ブロックにおいて送信され得る。いくつかの場合では、ＤＭＲＳは、それらが送信される各リソース・ブロックにおいて６個のリソース・エレメント上に信号を含み得る。いくつかの場合では、ＤＭＲＳの２つのセットは、互いに隣接しているリソース・エレメントにおいて送信され得る。この場合、または他の場合では、ＤＭＲＳは、ＣＲＳに関連するリソースを使用してＣＲＳに取って代わり得る。いくつかの場合では、チャネル状態情報参照信号（ＣＳＩ−ＲＳ）として知られるさらなる参照信号が、チャネル状態情報（ＣＳＩ）を生成するのを助けるために含まれ得る。ＵＬにおいて、ＵＥ１１５は、それぞれリンク適応および復調のためにＵＬ ＤＭＲＳと周期的なサウンディング参照信号（ＳＲＳ：sounding reference signal）との組み合わせを送信し得る。参照信号の構成は、送信のために使用されるＣＰの長さに基づき得る。
【００６８】
[0087]  上述の説明にしたがって、ワイヤレス・システムは、マルチキャスト送信に割り当てられたリソースを使用してユニキャスト・データを送信し得る。マルチキャスト送信のためにスケジュールされたＴＴＩにおけるユニキャスト・データの存在は、ＴＴＩ内で制御領域によって指示され得る。ＵＥは、ユニキャスト情報の存在を特定するために制御領域をモニタし得る。マルチキャスト送信のためにスケジュールされたＴＴＩはまた、マルチキャストまたはユニキャスト・データの復調を助けるために参照信号を含み得る。いくつかの場合では、参照信号は、最初にフロント・ローディングされるかＴＴＩ内に組み込まれ得る。組み込まれた参照信号は、マルチキャスト送信のためにスケジュールされたＴＴＩによって使用されるサイクリック・プレフィクスの長さによって、または、マルチキャスト送信のためにスケジュールされたＴＴＩによって搬送されるデータのタイプに基づいて構成され得る。
【００６９】
[0088]  図２は、本開示のさまざまな態様にしたがってｅＣＣにおけるｅＭＢＭＳに関わるワイヤレス通信システムの例を例示する。ワイヤレス通信システム２００は、ＵＥ１１５−ａおよびＵＥ１１５−ｂを含み得、これらは、図１を参照して説明されたＵＥ１１５の例であり得る。ワイヤレス通信システム２００はまた、基地局１０５−ａを含み得、これは、図１を参照して上述された基地局１０５の例であり得る。基地局１０５−ａは、通信リンク（例えばユニキャスト通信リンク２０５）を介してそれのカバレッジ・エリア１１０−ａ内で任意のＵＥ１１５に制御およびデータを送信し得る。ユニキャスト通信リンク２０５は、図１に関して概して説明されるように、ダウンリンクおよびアップリンク送信を介して基地局１０５とＵＥ１１５との間の双方向通信を可能にし得る。
【００７０】
[0089]  基地局１０５−ａは、ユニキャストＴＴＩ内でラジオ・リソース（例えば時間および周波数）を使用して特にＵＥ１１５−ａに向けられた制御およびデータ情報を送信し得る。基地局１０５−ａはまた、ブロードキャストおよびマルチキャスト信号２１０を送信し得、それは、カバレッジ・エリア１１０−ａ内で１つ以上のＵＥ１１５（例えばＵＥ１１５−ａおよびＵＥ１１５−ｂの両方）に向けられ得る。いくつかの例では、基地局１０５−ａは、ｅＭＢＭＳを使用してマルチキャスト・パケットを送信し得る。ｅＭＢＭＳデータは、ＭＴＣＨ上で送信され得、それは、ＦＤＭまたはＴＤＭのどちらかを使用して多重化され得る。
【００７１】
[0090]  いくつかの場合では、ｅＭＢＭＳがスケジュールされたＴＴＩに割り当てられた時間および周波数リソースの超過分が存在し得る（例えば、ｅＭＢＭＳデータは、保有されているリソースのほんの一部を使用し得るか、全く使用しない）。サブフレームの間の送信に利用可能であるｅＭＢＭＳデータが存在しない場合、ｅＭＢＭＳがスケジュールされたＴＴＩに割り当てられたラジオ・リソースは、そのサブフレームにおいてユニキャスト・データを送信するために使用され得る。いくつかの場合では、送信のために利用可能であるｅＭＢＭＳデータが存在し得るが、より優先度の高いユニキャスト・データは、（例えばプリエンプションと呼ばれるプロセスにおいて）代わりにマルチキャスト・リソース上で送信され得る。ｅＭＢＭＳリソースによって搬送される送信のタイプ（例えば、ユニキャストまたはｅＭＢＭＳ）に関わる情報を搬送する指示が、ＵＥ１１５に送信され得る。例えば、ダウンリンクｅＭＢＭＳがスケジュールされたＴＴＩの各々は、ＵＥ１１５がダウンリンクの特徴を決定するためにモニタし得る制御シンボルを含み得る。かくして、たとえＵＥ１１５が特定のｅＭＢＭＳに関与していなくても、ＵＥ１１５は、ｅＭＢＭＳがスケジュールされたＴＴＩの制御シンボルを依然としてモニタし得、それがＵＥ１１５に割り当てられるユニキャスト・データを搬送するかどうかを決定し得る。
【００７２】
[0091]  １つの例では、基地局１０５−ａは、送信のタイプにしたがってシステム帯域幅の時間・周波数リソースを割り当て得、例えば基地局１０５−ａは、ユニキャスト送信のためにサブキャリアの中心のセットを、および、ｅＭＢＭＳがスケジュールされたＴＴＩのために外側のサブキャリアのセットを保有し得る。いくつかの場合では、ｅＭＢＭＳがスケジュールされたＴＴＩに関わるシンボル持続時間は、ユニキャスト・シンボル持続時間と異なり得る。例えば、ｅＭＢＭＳがスケジュールされたシンボル持続時間は、信号を受信するＵＥ１１５のための位置の可能な範囲を補うために比較的長くあり得る。すなわち、カバレッジ・エリア１１０−ａ内のいくつかのＵＥ１１５に向けられたｅＭＢＭＳ信号は、さまざまな送信経路長（transmit path length）を経験し得、それは、大きな遅延拡散をもたらし得る。かくして、ｅＭＢＭＳシンボルは、遅延拡散の広い範囲をカバーするために長いＣＰ長を使用し得る。ｅＭＢＭＳ送信のためのシンボル境界およびＣＰ長がユニキャスト送信のそれらと異なり得るが、ユニキャスト送信およびｅＭＢＭＳに関わるＴＴＩは、（例えばＦＤＭが使用されるとき）アラインされ得る。
【００７３】
[0092]  送信タイプに関わらず、ＵＥ１１５は、割り当てられたデータを復号するために参照信号を使用し得る。例えば、ＵＥ１１５は、ダウンリンク信号のデータ搬送部分を復調するために、ＣＲＳまたはＤＭＲＳを使用し得る。特に、ＵＥ１１５は、ダウンリンク信号のコヒーレント復調を実施するために、ダウンリンク・チャネルの特徴の推定を決定および維持するためにＣＲＳを使用し得る。いくつかの場合では、ＵＥ１１５は、復調に関わる参照としてＤＭＲＳを使用し得る。例えば、マルチキャスト・リソースがユニキャスト送信のために使用される場合、ワイヤレス・システム２００は、割り当てられたリソースにおいてＤＭＲＳを組み込み得る。ＣＲＳのためにもともと保有されているリソース・エレメント（ＲＥ）は、さらなるＤＭＲＳによって取って代えられ得る。別の例では、さらなるＤＭＲＳは、ＰＤＳＣＨシンボル内に（例えば低密度で）組み込まれ得る。
【００７４】
[0093]  ワイヤレス・システム２００は、マルチキャスト送信に割り当てられたリソースを使用してユニキャスト・データを含み得る。マルチキャスト送信のためにスケジュールされたＴＴＩにおけるユニキャスト・データの存在は、マルチキャスト信号２１０のためにスケジュールされたリソースのセット内で制御領域によって指示され得る。ＵＥ１１５−ａは、ユニキャスト情報の存在を特定するために制御領域をモニタし得る。マルチキャスト送信のためにスケジュールされたＴＴＩはまた、マルチキャストまたはユニキャスト・データの復調を助けるために参照信号を含み得る。いくつかの場合では、参照信号は、最初にフロント・ローディングされるかＴＴＩ内に組み込まれ得る。組み込まれた参照信号は、マルチキャスト送信のためにスケジュールされたＴＴＩによって使用されるサイクリック・プレフィクスの長さによって、または、マルチキャスト送信のためにスケジュールされたＴＴＩによって搬送されるデータのタイプに基づいて構成され得る。
【００７５】
[0094]  図３Ａは、本開示のさまざまな態様にしたがってｅＣＣにおけるｅＭＢＭＳに関わるＵＬ／ＤＬバースト構成３０１の例を例示する。ＵＬ／ＤＬバースト構成３０１は、図２で概して説明されたように、ＵＥ１１５と基地局１０５との間で使用される双方向通信の例を示し得る。ＵＬ／ＤＬバースト構成３０１は、ＤＬバースト３０３−ａとＵＬバースト３０４−ａを含み得る。ＤＬバースト３０３−ａは、ダウンリンクｅＭＢＭＳがスケジュールされたＴＴＩ３０５−ａを含み得、それは、ｅＭＢＭＳがスケジュールされたＴＴＩに割り当てられたリソースを有するＴＴＩであり得、またＤＬバースト３０３−ａは、ダウンリンク・ユニキャストＴＴＩ３１０−ａを含み得、それは、１つまたは複数のＵＥ１１５に向けられたユニキャスト情報を搬送し得る。ＵＬ／ＤＬバースト構成３０１は、ＦＤＭおよびＴＤＭのような、さまざまなタイプの多重化を使用して実現され得る。
【００７６】
[0095]  上述のように、ｅＭＢＭＳがスケジュールされたＴＴＩ３０５−ａは、ｅＭＢＭＳが利用可能でない場合に、またはユニキャスト・データがｅＭＢＭＳデータより優先度が高い場合に、ユニキャスト・データを搬送し得る。ｅＭＢＭＳがスケジュールされたＴＴＩ３０５−ａによって搬送されたデータのタイプに関わらず、ｅＭＢＭＳがスケジュールされたＴＴＩ３０５−ａは、ＣＲＳプリアンブル・シンボル３１５−ａおよびユニキャスト制御シンボル３２０−ａを含み得る。ＣＲＳプリアンブル・シンボル３１５−ａは、コヒーレント復調で使用するためにＵＥ１１５にＣＲＳを搬送し得、ユニキャスト制御シンボル３２０−ａは、ｅＭＢＭＳがスケジュールされたＴＴＩ３０５−ａに関わる制御情報を搬送し、および、ｅＭＢＭＳがスケジュールされたＴＴＩ３０５−ａによって搬送されたデータのタイプ（例えばユニキャストまたはｅＭＢＭＳ）を指示し得る。かくして、ＵＥ１１５は、ｅＭＢＭＳがスケジュールされたＴＴＩ３０５−ａがｅＭＢＭＳ送信に関わるリソース・スケジュールにおいてユニキャスト・データを搬送するかどうかを決定するためにユニキャスト制御シンボル３２０−ａをモニタし得る。
【００７７】
[0096]  ユニキャスト制御シンボル３２０−ａは、ＰＵＦＩＣＨ）３３０−ａおよびＰＤＦＩＣＨ３４０−ａを含み得、それは、（存在するならば）次のアップリンク・バーストの持続時間と、ダウンリンク・バーストの持続時間（例えばｅＭＢＭＳがスケジュールされたＴＴＩ３０５−ａの長さ）をそれぞれ搬送し得る。ｅＭＢＭＳがスケジュールされたＴＴＩ３０５−ａがアップリンク・バーストによって後続されない場合、ＰＵＦＩＣＨ３３０−ａは、ユニキャスト・データのために使用され得るｅＭＢＭＳがスケジュールされたＴＴＩ３０５−ａの持続時間を搬送するために使用され得る。ユニキャスト制御シンボル３２０−ａはまた、ＰＤＣＣＨ３３５−ａを含み得、それは、ＵＥ１１５に対してユニキャスト・データ・リソース割り当てを示し得る。例えば、ｅＭＢＭＳがスケジュールされたＴＴＩ３０５−ａがユニキャスト送信のために使用される場合、ＰＤＣＣＨ３３５−ａは、ＰＤＳＣＨによって搬送されるどのリソース・エレメントがＵＥ１１５に割り当てられるかを指示し得る。ユニキャスト制御シンボル３２０−ａはまた、複数のＵＥ１１５に対してマルチキャスト・データ・リソース割り当てを示すためにＰＤＣＣＨ３３５−ｂを含み得る。例えば、ｅＭＢＭＳがスケジュールされたＴＴＩ３０５−ａは、ｅＭＢＭＳデータに使用される場合、ＰＤＣＣＨ３３５−ｂは、ＰＭＣＨ３２５−ａのリソース・エレメントがマルチキャスト・データを搬送するＵＥ１１５に搬送し得る。ＰＣＦＩＣＨ３４５−ａは、ユニキャスト制御シンボル３２０−ａにおいて存在し得る。ＰＣＦＩＣＨ３４５−ａは、ＰＤＣＣＨ３３５−ａまたはＰＤＣＣＨ３３５−ｂのために使用される長さ（例えばシンボルの数）を指示し得る。
【００７８】
[0097]  ｅＭＢＭＳがスケジュールされたＴＴＩ３０５−ａに加えて、ＤＬバースト３０３−ａは、ＤＬユニキャストＴＴＩ３１０−ａを含み得る。ユニキャストＴＴＩ３１０ーａは、ユニキャスト送信のために保有される時間周波数リソースを使用して１つまたは複数のＵＥ１１５に対してユニキャスト・データを搬送し得る。ｅＭＢＭＳがスケジュールされたＴＴＩ３０５−ａと同様に、ユニキャストＴＴＩ３１０−ａは、ＣＲＳプリアンブル・シンボル３１５−ｂで開始し得る。ユニキャストＴＴＩ３１０−ａは、ユニキャスト送信のためだけに使用され得るので、ユニキャストＴＴＩ３１０−ａは、ユニキャスト制御シンボルを有していない（例えば、ＵＥ１１５はデータがユニキャストであることを想定し得るので、ユニキャストＴＴＩ３１０−ａはそれが搬送するデータのタイプを指示する必要が無い）。しかしながら、ユニキャストＴＴＩ３１０−ａは、ＰＵＦＩＣＨ３３０−ｂ、ＰＤＦＩＣＨ３４０−ｂ、およびＰＣＦＩＣＨ３４５−ｂを含み得、それらは前述のようなフォーマットおよび制御情報を搬送し得る。ユニキャストＴＴＩ３１０−ａはまた、ＰＤＣＣＨ３３５−ｃを含み得、それは、ＵＥ１１５に割り当てられるユニキャスト・データを指示し得、それは、ＰＤＳＣＨ３５５−ａ上で搬送される。ユニキャストＴＴＩ３１０はまた、基地局１０５からアップリンク・グラント（例えばアップリンク・グラント３６０−ａ）を指示するリソースを含み得る。したがって、ユニキャストＴＴＩ３１０−ａは、ＰＣＦＩＣＨ３４５−ｃを含み得、それは、ＵＬグラント３６０−ａの長さを指示し得る。
【００７９】
[0098]  図３Ｂは、本開示のさまざまな態様にしたがってｅＣＣにおけるｅＭＢＭＳに関わるＵＬ／ＤＬバースト構成３０２の例を例示する。ＵＬ／ＤＬバースト構成３０２は、図２で概して説明されたように、ＵＥ１１５と基地局１０５との間で使用される双方向通信の例を示し得る。ＵＬ／ＤＬバースト構成３０２は、ＤＬバースト３０３−ｂとアップリンク・バースト３０４−ｂを含み得る。ＤＬバースト３０３−ａは、ＤＬ ｅＭＢＭＳがスケジュールされたＴＴＩ３０５−ｂを含み得、それは、ｅＭＢＭＳがスケジュールされたＴＴＩに割り当てられたリソースを有するＴＴＩであり得、またそれは、ｅＭＢＭＳデータを搬送する。ＤＬバースト３０３−ｂはまた、ＤＬユニキャストＴＴＩ３１０−ｂを含み得、それは、１つまたは複数のＵＥ１１５に向けられたユニキャスト情報を搬送し得る。ＵＬ／ＤＬバースト構成３０２は、ＦＤＭまたはＴＤＭを使用してインプリメントされ得る。
【００８０】
[0099]  ｅＭＢＭＳがスケジュールされたＴＴＩ３０５−ｂは、ＣＲＳプリアンブル・シンボル３１５−ｃ、ＰＭＣＨ３２５−ｂおよびユニキャスト制御シンボル３２０−ｂを含み得る。ユニキャスト制御シンボル３２０−ｂは、ＰＵＦＩＣＨ３３０−ｃ、ＰＤＣＣＨ３３５−ｄ、ＰＤＣＣＨ３３５−ｅ、ＰＤＦＩＣＨ３４０−ｃ、およびＰＣＦＩＣＨ３４５−ｄを含み得、それは、ｅＭＢＭＳがスケジュールされたＴＴＩ３０５−ｂに関わるフォーマットおよび制御情報を搬送し得る。ｅＭＢＭＳがスケジュールされたＴＴＩ３０５−ｂは、物理マルチキャスト制御チャネル（ＰＭＣＣＨ）３６５およびＰＭＳＩＣＨ３７０をさらに含み得る。ＰＭＣＣＨ３６５は、各ＰＭＣＨおよびＭＳＩ（および必要であればレイヤ情報）に割り当てられる時間および周波数リソースを指示し得る。ＰＭＳＩＣＨ３７０は、各ＭＴＣＨ（例えばマルチキャスト・スケジューリング情報（ＭＳＩ））に割り当てられる時間および周波数リソースのスケジューリングを指示し得る。ＭＳＩは、各ＭＴＣＨにおけるＴＴＩの数（および各ＴＴＩに関わるシンボルの数）をさらに指示し得る（例えば、ＭＳＩは、次回のスケジューリング期間において特定のＭＴＣＨのためにどのＴＴＩが使用されるかを指示し得る）。
【００８１】
[0100]  いくつかの場合では、基地局１０５は、ｅＭＢＭＳがスケジュールされたＴＴＩに関わるＭＳＩ送信およびマルチキャスト制御チャネル（ＭＣＣＨ）を保証し得る。このような例では、ＵＥ１１５はｅＭＢＭＳがスケジュールされたＴＴＩがｅＭＢＭＳデータを搬送することを想定し得るので、ＣＲＳプリアンブル・シンボル３１５であるかユニキャスト制御シンボル３２０であるかは重要ではない。かくして、保証されたマルチキャスト送信を有するｅＭＢＭＳがスケジュールされたＴＴＩ３０５は、ＣＲＳプリアンブル・シンボル３１５またはユニキャスト制御シンボル３２０を含まない可能性があり、ＵＥ１１５は、ユニキャスト・データに関わるｅＭＢＭＳがスケジュールされたＴＴＩ３０５をモニタすることをやめ得る。
【００８２】
[0101]  いくつかの場合では、ＣＲＳプリアンブル・シンボル３１５は、チャネルの特徴を推定するにはＵＥ１１５にとって十分でない可能性がある。したがって、ＵＥ１１５は、コヒーレント復調を正確に実施することを抑制され得、それは、データ復号エラーを増大させ得る。かくして、ｅＭＢＭＳがスケジュールされたＴＴＩ３０５は、ｅＭＢＭＳがスケジュールされたＴＴＩ３０５のデータ・べアリング部分（例えばＰＭＣＨ３２５）においてパイロット・トーン、例えばＣＲＳまたはＤＭＲＳを組み込み得る。
【００８３】
[0102]  ｅＭＢＭＳがスケジュールされたＴＴＩ３０５−ｂは、ＤＬユニキャスト３１０−ｂによって後続され得る。ユニキャストＴＴＩ３１０−ｂは、ユニキャスト送信のために割り当てられるラジオ・リソースを使用して１つまたは複数のＵＥ１１５に対してユニキャスト・データを搬送し得る。ＤＬユニキャストＴＴＩ３１０−ｂは、ＣＲＳプリアンブル・シンボル３１５−ｄで開始し得る。しかしながら、ＤＬユニキャストＴＴＩ３１０−ｂはユニキャスト送信のためにだけ使用され得るので、ＤＬユニキャストＴＴＩ３１０−ｂはユニキャスト制御シンボルを有していない可能性がある。ＤＬユニキャストＴＴＩ３１０−ｂは、ＰＵＦＩＣＨ３３０−ｄ、ＰＤＦＩＣＨ３４０−ｃ、およびＰＣＦＩＣＨ３４５−ｅを含み得、それは、前述のようにフォーマットおよび制御情報を搬送し得る（例えばＰＵＦＩＣＨ３３０−ｄは、ＵＬバースト３０４−ｂの長さを指示し得る）。ユニキャストＴＴＩ３１０−ｂはまた、ＰＤＣＣＨ３３５−ｆを含み得、それは、ＵＥ１１５に割り当てられてＰＤＳＣＨ３５５−ｂで搬送されるユニキャスト・データを指示し得る。ＤＬユニキャストＴＴＩ３１０ーｂはまた、基地局１０５からアップリンク・グラント（例えばアップリンク・グラント３６０−ｂ）を指示するリソースを含み得る。したがって、ＤＬユニキャストＴＴＩ３１０−ｂは、ＰＣＦＩＣＨ３４５−ｅを含み得、それは、ＵＬグラント３６０−ｂの長さを指示し得る。
【００８４】
[0103]  図４は、本開示のさまざまな態様にしたがってｅＣＣにおけるｅＭＢＭＳに関わるＤＬ ＴＴＩの拡大図を含むＤＬバースト・パイロット・パターン４００の例を例示する。ＤＬバースト・パイロット・パターン４００は、図１乃至３Ｂを参照して前述されたようにｅＭＢＭＳのためにスケジュールされたリソースを含む基地局１０５とＵＥ１１５との間の通信のために使用され得る。例えば、ＤＬバースト・パイロット・パターン４００は、ｅＭＢＭＳのためにもともとスケジュールされたＤＬユニキャストＴＴＩのためのパイロット・パターンを示し得る。別の例では、ＤＬバースト・パイロット・パターン４００は、ｅＭＢＭＳ ＴＴＩのために使用され得る。いくつかの場合では、ＤＬバースト・パイロット・パターン４００がｅＭＢＭＳのために使用される場合、アンテナ・ポートの数が（例えば２個までに）制限され得る。これは、パイロット・トーンの数に影響を与え得る。
【００８５】
[0104]  ＤＬバースト・パイロット・パターン４００は、パイロット・トーン４０５の例としての位置を示すＤＬ ＴＴＩ３０５−ｃの時間および周波数リソース・エレメントの例を含み得る。いくつかの場合では、ＤＬ ＴＴＩ３０５−ｃは、組み込まれたパイロット・トーンを有するＤＬシンボル（例えばＰＭＣＨ３２５−ｃ）およびＣＲＳプリアンブル・シンボル３１５−ｅを含み得る。パイロット・トーンは、個々のアンテナ・ポートに対応したチャネルの特徴を決定するために、ＵＥ１１５によって使用され得る。いくつかの場合では、パイロット・トーン４０５は、ＣＲＳであり得る。１つの例では、第１のアンテナに関わるパイロット・トーンは、各シンボルで規則的に離間されたトーンで（この例では２５個のトーンごとに）送信され得る、ここにおいてパイロット・トーンのインデックス（オフセット）は、シンボルごとに特定の量（この例では３個）でシフトされる。パターンは、Ｎ個のシンボル（この例では２５の個シンボル）ごとに繰り返され得る。言い換えると、ポートごとのオーバーヘッドは、２５個ごとのＲＥに対して１個のパイロット・シンボルであり得る。
【００８６】
[0105]  異なる送信アンテナに関わるパイロットは、シンボル内の異なるトーン位置で送信され得る。例えば、シンボル４１０の間に、第１のポートに対応するパイロット（例えばパイロット４１５）は、第２のポートに対応するパイロット（例えばパイロット４２０）とは異なるトーンによって搬送され得る。ＤＬバースト・パイロット・パターン４００は、ＤＬバースト４０５におけるパイロット送信に関わる１つの可能なパターンを示し、しかし他のパイロット・パターンもまた使用され得る。例えば、ＤＬ ＴＴＩ３０５−ｃが２つのポート構成を使用して送信される場合、２つのパイロットが使用され得る。いくつかの場合では、パイロット構成は、サイクリック・プレフィクス（ＣＰ）の長さに基づき得る。例えば、ｅＭＢＭＳがスケジュールされたＴＴＩがユニキャスト送信と同じＣＰを使用する場合、ｅＭＢＭＳがスケジュールされたＴＴＩは、ユニキャスト送信と同じパイロット構成を使用し得る。ｅＭＢＭＳがスケジュールされたＴＴＩがユニキャスト送信により長いＣＰを使用する場合、ｅＭＢＭＳがスケジュールされたＴＴＩは、より高い密度のパイロット構成を使用し（または最小のＴＴＩ長を有し）得る。
【００８７】
[0106]  ＤＬバースト・パイロット・パターン４００によって表されるパイロット構成は、ｅＭＢＭＳのために保有されるリソースにおいて搬送されるユニキャスト送信およびｅＭＢＭＳ ＴＴＩにおいて使用され得る。いくつかの場合では、ＵＥ１１５は、コヒーレントＣＲＳ検知のために前のユニキャスト領域からのＣＲＳを組み合わせるべきときを指示するＣＲＳオン／オフ検知を実施し得る。本開示にしたがって、ＵＥ１１５は、（例えばＤＬバースト・パイロット・パターン４００の一部として）パイロット送信のために基地局１０５からのワイヤレス・チャネルをモニタし得る。いくつかの場合では、ＵＥ１１５は、パイロットを検知して、送信がＤＬ送信（例えばＤＬ ＴＴＩ３０５−ｃ）であることを決定し得る。そしてＵＥ１１５は、周知の物理レイヤＤＬチャネルを復号することによってＤＬ ＴＴＩ３０５−ｃがＤＬ ＴＴＩであることを確認し得る。他の場合では、ＵＥ１１５は、ＴＴＩの間にワイヤレス・チャネル上での任意のパイロット送信の不在を特定し得、インターバルがＵＬ ＴＴＩであることを決定し得る。ＴＴＩがＵＬのためであるかＤＬのためであるかに基づいて、ＵＥ１１５は、チャネル推定を生成するか、割り当てられたリソースを復号するか、低電力状態に入るか、または今後の送信のタイミングを決定し得る。
【００８８】
[0107]  図５は、本開示のさまざまな態様にしたがってｅＣＣにおけるｅＭＢＭＳに関わるプロセス・フロー５００の例を例示する。説明される技術は、ＬＴＥシステムのようなさまざまな異なるシステムおよび（ＦＤＤおよびＴＤＤシステムを含む）他のラジオ技術に適用し得る。プロセス・フロー５００は、ＵＥ１１５−ｃおよびＵＥ１１５−ｄを含み得、それは、図１を参照して上述されたＵＥ１１５の例であり得る。プロセス・フロー５００はまた、基地局１０５−ｂを含み得、それは、図１を参照して上述された基地局１０５の例であり得る。さらに、プロセス・フロー５００は、図１乃至４を参照して説明されたように、任意の基地局１０５とＵＥ１１５との間の双方向通信スキームの一例であり得る。
【００８９】
[0108]  ステップ５０５では、基地局１０５−ｂは、ＵＥ１１５−ｃとの接続を確立し得る。基地局１０５−ｂはまた、ＵＥ１１５−ｄとの接続を確立し得る（またはすでに有し得る）。ステップ５１０において、基地局１０５−ｂは、例えばＭＩＢおよびＳＩＢを使用して、システム情報をブロードキャストし得る。ＳＩＢは、ｅＭＢＭＳに割り当てられた時間および周波数リソースを指示し得る（例えばＵＥ１１５−ｃは、ＰＭＣＣＨに関わるリソースのセットを指示するＳＩＢを受信し得る）。ＳＩＢはまた、レイヤ情報、またはＭＣＣＨ送信に関わる時間および周波数リソースを指示し得る。いくつかの場合では、ＳＩＢは、ＣＲＳプリアンブルまたはユニキャスト制御シンボルを有していないＤＬシンボルを指示し得る。いくつかの場合では、ＵＥ１１５−ｃは、ＰＭＣＨに関わる時間および周波数リソースのセットを指示するＰＭＣＣＨ送信を受信し得る。ＵＥ１１５−ｃおよび１１５−ｄはまた、ＰＭＣＣＨに基づいてＭＴＣＨに関わる時間および周波数リソースのセットを指示するＰＭＳＩＣＨ送信を受信し得る。ＭＳＩは、各ＭＴＣＨのための各ＴＴＩに関わるシンボルの数およびＴＴＩの数をさらに指示し得る。
【００９０】
[0109]  ＭＴＣＨがＭＣＣＨによって多重化される場合、ＭＴＣＨに関わる変調および符号化スキーム（ＭＣＳ）は、ＭＣＣＨに対応するＭＣＳとは異なり得る。ＭＣＣＨは、各ＰＭＣＨおよびＭＳＩ（および必要であればレイヤ情報）に割り当てられる時間および周波数リソースを指示し得る。ＭＴＣＨがＭＳＩで多重化される場合、ＭＴＣＨはＭＳＩに後続し得る。ＭＳＩ／ＭＴＣＨおよびＭＣＣＨの両方が多重化される場合、ＭＳＩ／ＭＴＣＨは、対応するＭＣＣＨに後続し得る。
【００９１】
[0110]  ステップ５１５において、基地局１０５−ｂは、マルチキャスト・データを搬送するｅＭＢＭＳバーストを送信し得る。ＵＥ１１５−ｃおよびＵＥ１１５−ｄは、ｅＭＢＭＳバーストを受信し得るが、ＵＥ１１５−ｃは、マルチキャスト情報に関与しない可能性がある。さらに、ｅＭＢＭＳがスケジュールされたバーストの間にユニキャスト・データが送信される場合に、ＵＥ１１５−ｃは、ユニキャスト制御シンボルをモニタし得る。他の場合では、ｅＭＢＭＳバーストは、ｅＭＢＭＳデータを搬送することを保証され得る。かくして、ｅＭＢＭＳバーストは、ユニキャスト制御シンボルを含まない可能性があり、ＵＥ１１５−ｃは、ｅＭＢＭＳバーストをモニタすることをやめ得る。したがって、ＵＥ１１５−ｄは、ｅＭＢＭＳバーストによって搬送されるマルチキャスト・データを復号し得る。
【００９２】
[0111]  ステップ５２０では、基地局１０５−ｂは、ＵＥ１１５−ｃに割り当てられるユニキャスト情報を搬送するｅＭＢＭＳがスケジュールされたバーストを送信し（およびＵＥ１１５−ｃはこれを受信し）得る。したがって、ＵＥ１１５−ｃは、ｅＭＢＭＳがスケジュールされたバーストがｅＭＢＭＳのためにスケジュールされることを決定し得るが、ユニキャスト・データを搬送し得る。ｅＭＢＭＳがスケジュールされたバーストに関わるリソースのセットは、ｅＭＢＭＳがスケジュールされたリソースを指示するＳＩＢを受信することおよびＳＩＢに基づいてＭＣＣＨを受信することによって決定され得る。ｅＭＢＭＳがスケジュールされたバーストは、パイロット、例えばＣＲＳを含み得、それは、参照信号構成において配置され得る。ＣＲＳは、ｅＭＢＭＳがスケジュールされたバーストに組み込まれ、または、ｅＭＢＭＳがスケジュールされたバースト内でサブフレームの開始時にＣＲＳプリアンブル・シンボルでフロント・ローディングされ得る（例えば、ｅＭＢＭＳがスケジュールされたバーストの第１のシンボル期間は、ＣＲＳプリアンブルに関連し得る）。いくつかの態様にしたがって、参照信号構成は、ＣＲＳおよびＤＭＲＳの両方を含み得る。いくつかの例では、参照信号構成は、ＣＰ長に基づいて増大された参照信号密度または最小のＴＴＩ長に基づき得る。例えば、基地局１０５−ｂは、ｅＭＢＭＳがスケジュールされたＴＴＩによって使用される拡張されたＣＰ長に基づいて参照信号構成を選択し得る。
【００９３】
[0112]  参照信号構成に関わらず、ステップ５２５において、ＵＥ１１５−ｃは、ＣＲＳパイロットの存在を検知し得る。例えば、ＵＥ１１５−ｃは、ｅＭＢＭＳがスケジュールされたバーストの１つまたは複数のサブフレームに関わるＣＲＳオン／オフ検知を実施し得る。ＣＲＳオン／オフ検知に基づいて、ＵＥ１１５−ｃは、サブフレーム間に少なくとも１つのＣＲＳを受信し得る。そしてＵＥ１１５−ｃは、蓄積されたＣＲＳデータとＣＲＳを組み合わせ得る。いくつかの場合では、参照信号構成は、ＣＲＳに加えて、またはこれに代わってＤＭＲＳを含み得る。したがって、ステップ５２５では、ＵＥ１１５−ｃは、ｅＭＢＭＳがスケジュールされたサブフレームの間に少なくとも１つのＤＭＲＳを受信し得る。ＤＭＲＳは、ＣＲＳパターンに関連した少なくとも１つのリソース・エレメントを使用し得る。いくつかの場合では、ＤＭＲＳは、非ＣＲＳリソース・エレメントのセットに基づいて低密度のリソース・パターンを使用し得る。
【００９４】
[0113]  そしてＵＥ１１５−ｃは、ｅＭＢＭＳがスケジュールされたバーストのシンボル期間がユニキャスト・シンボル期間であることを決定し得る。さらに、ＵＥ１１５−ｃは、ｅＭＢＭＳがスケジュールされたバーストのリソースをユニキャスト・データが使用していることを指示する制御メッセージ（例えばｅＭＢＭＳプリエンプション指示、ユニキャスト指示、ＤＬバーストの長さを指示するメッセージ、またはＰＤＣＣＨ）を、ユニキャスト制御シンボル期間において、特定し得る。例えば、ＵＥ１１５−ｃは、ｅＭＢＭＳプリエンプション指示を受信し得、ｅＭＢＭＳがスケジュールされたバーストがユニキャスト・データ（例えばマルチキャスト・データをより高い優先度のユニキャスト・データ）を含むことを決定し得る。言い換えると、ＵＥ１１５−ｃは、ｅＭＢＭＳのためにスケジュールされたリソースのセットがプリエンプション指示に基づいてユニキャスト・データを含むことを決定し得る。１つの例では、制御メッセージは、ｅＭＢＭＳがスケジュールされたバーストのユニキャスト制御シンボル期間の間に送信または受信され得、ユニキャスト・データ送信は、ｅＭＢＭＳがスケジュールされたバーストの間に送信または受信され得る。ユニキャスト・データ送信の受信または送信は、制御メッセージに基づき得る。いくつかの例では、制御メッセージは、ＰＵＦＩＣＨフォーマットまたはリソース割り当てを使用し得る。制御シンボル期間における（１つまたは複数の）制御メッセージは、ｅＭＢＭＳがスケジュールされたバーストがユニキャスト・データのために使用されるか、ｅＭＢＭＳのために使用されるかに関わらず使用され得る。例えば、１つまたは複数の制御メッセージは、次のシンボルにおける送信間隔および／またはｅＭＢＭＳの存在を指示するために使用され得る。
【００９５】
[0114]  ステップ５３０において、ＵＥ１１５−ｃは、受信されたＣＲＳに基づいて蓄積されたＣＲＳデータをアップデートし得る。いくつかの場合では、組み合わせることは、ＣＲＳオン／オフ検知に基づき得る。ステップ５３５では、ＵＥ１１５−ｃは、蓄積されたＣＲＳデータを使用して制御情報を読み取り得る。ステップ５４０では、ＵＥ１１５−ｃは、ユニキャスト・データを復号し得る。復号は、ＵＥ１１５−ｃに割り当てられたリソース・エレメントを指示する制御情報に基づき得る。
【００９６】
[0115]  いくつかの場合では、ＵＥ１１５−ｃまたは基地局１０５−ｂは、第２のｅＭＢＭＳがスケジュールされたバーストのためにスケジュールされたリソースのセットを決定し得る。１つの例にしたがって、第１のｅＭＢＭＳがスケジュールされたバーストおよび第２のｅＭＢＭＳがスケジュールされたバーストは、ＦＤＭ構成にしたがって多重化され得る。別の例では、第１のｅＭＢＭＳがスケジュールされたバーストおよび第２のｅＭＢＭＳがスケジュールされたバーストは、ＴＤＭ構成にしたがって多重化され得る。いくつかの場合では、ｅＭＢＭＳがスケジュールされたバーストのためにスケジュールされたリソースは、減じられたシンボル期間に基づき得る。さらに、減じられたシンボル期間は、ｅＣＣ構成に対応し得る。いくつかの場合では、減じられたシンボル期間は、クリア・チャネル・アセスメント（ＣＣＡ）長に等しくなり得る。減じられたシンボル期間は、拡張されたＣＰ長に基づき得る。いくつかの場合では、減じられたシンボル期間は、ｅＭＢＭＳがスケジュールされたバーストに関連した帯域幅範囲と一致し得る。拡張されていないＣＰ長に基づき、およびユニキャスト送信に関連した帯域幅範囲に対応する第２の減じられたシンボル期間が存在し得る。したがって、基地局１０５−ｂは、ｅＭＢＭＳがスケジュールされたバーストのためにスケジュールされた帯域幅範囲の決定に基づいて帯域幅範囲に対する拡張されたＣＰ長を選択し得る。
【００９７】
[0116]  図６は、本開示のさまざまな態様にしたがってｅＣＣにおけるｅＭＢＭＳのために構成されたワイヤレス・デバイス６００のブロック図を示す。ワイヤレス・デバイス６００は、図１乃至５を参照して説明されたＵＥ１１５の態様の例であり得る。ワイヤレス・デバイス６００は、受信機６０５、ｅＣＣ ｅＭＢＭＳモジュール６１０、または送信機６１５を含み得る。ワイヤレス・デバイス６００はまた、プロセッサを含み得る。これらのコンポーネントの各々は、互いに通信状態にあり得る。
【００９８】
[0117]  受信機６０５は、さまざまな情報チャネル（例えば、制御チャネル、ユニキャスト・データ・チャネルおよびｅＣＣにおけるｅＭＢＭＳに関連した情報など）に関連付けられた、パケット、ユーザ・データ、または制御情報のような情報を受信し得る。情報は、ｅＣＣ ｅＭＢＭＳモジュール６１０に、およびワイヤレス・デバイス６００の他のコンポーネントに伝えられ得る。いくつかの例では、受信機６０５は、制御メッセージに基づいてサブフレーム間のユニキャスト・データ送信を受信し得る。
【００９９】
[0118]  ｅＣＣ ｅＭＢＭＳモジュール６１０は、リソースのセットがｅＭＢＭＳのためにスケジュールされることを決定し、リソースのセットの第１のシンボル期間がＣＲＳプリアンブルに関連しリソースのセットの第２のシンボル期間がユニキャスト制御シンボル期間であることを決定し、リソースのセットを使用してユニキャスト・データ送信を示す制御メッセージをユニキャスト制御シンボル期間において特定し得る。
【０１００】
[0119]  送信機６１５は、ワイヤレス・デバイス６００の他のコンポーネントから受信された信号を送信し得る。いくつかの実施形態では、送信機６１５は、トランシーバ・モジュールにおいて受信機６０５と共に配置され（collocated with）得る。送信機６１５は、単一のアンテナを含み得、またはそれは、複数のアンテナを含み得る。いくつかの例では、送信機６１５は、サブフレーム間にユニキャスト・データ送信を送信し得る。
【０１０１】
[0120]  図7は、本開示のさまざまな態様にしたがってｅＣＣにおけるｅＭＢＭＳに関わるワイヤレス・デバイス７００のブロック図を示す。ワイヤレス・デバイス７００は、図１乃至６を参照して説明されたＵＥ１１５またはワイヤレス・デバイス６００の態様の例であり得る。ワイヤレス・デバイス７００は、受信機６０５−ａ、ｅＣＣ ｅＭＢＭＳモジュール６１０−ａ、または送信機６１５−ａを含み得る。ワイヤレス・デバイス７００はまた、プロセッサを含み得る。これらのコンポーネントの各々は、互いに通信状態にあり得る。ｅＣＣ ｅＭＢＭＳモジュール６１０−ａはまた、ｅＭＢＭＳスケジューリング・モジュール７０５、シンボル期間特定モジュール７１０、およびユニキャスト制御モジュール７１５を含み得る。
【０１０２】
[0121]  受信機６０５−ａは、ｅＣＣ ｅＭＢＭＳモジュール６１０−ａに、およびＵＥ１１５の他のコンポーネントに伝えられ得る情報を受信し得る。ｅＣＣ ｅＭＢＭＳモジュール６１０−ａは、図６に関連して上述された動作を実施し得る。送信機６１５−ａは、ワイヤレス・デバイス７００の他のコンポーネントから受信された信号を送信し得る。
【０１０３】
[0122]  ｅＭＢＭＳスケジューリング・モジュール７０５は、リソースのセットが図２乃至５を参照して上述されたようなｅＭＢＭＳのためにスケジュールされることを決定し得る。ｅＭＢＭＳスケジューリング・モジュール７０５はまた、リソースの第２のセットが第２のｅＭＢＭＳのためにスケジュールされることを決定し得る。いくつかの例では、リソースのセットがｅＭＢＭＳのためにスケジュールされ得ることを決定することは、ｅＭＢＭＳを指示するＳＩＢを受信することとＳＩＢに基づいてＭＣＣＨを受信することとを含む。
【０１０４】
[0123]  シンボル期間特定モジュール７１０は、図２乃至５を参照して前述されたように、リソースのセットの第１シンボル期間がＣＲＳプリアンブルに関連し、リソースのセットの第２のシンボル期間がユニキャスト制御シンボル期間であることを決定し得る。
【０１０５】
[0124]  ユニキャスト制御モジュール７１５は、図２乃至５を参照して前述されたように、リソースのセットを使用してユニキャスト・データ送信を指示する制御メッセージをユニキャスト制御シンボル期間において特定し得る。ユニキャスト制御モジュール７１５はまた、ユニキャスト制御シンボル期間の間に制御メッセージを受信し得る。ユニキャスト制御モジュール７１５はまた、ユニキャスト制御シンボル期間の間に制御メッセージを送信し得る。いくつかの例では、制御メッセージは、ＰＵＦＩＣＨ送信であり得る。
【０１０６】
[0125]  図８は、本開示のさまざまな態様にしたがってｅＣＣにおけるｅＭＢＭＳに関わるワイヤレス・デバイス７００、またはワイヤレス・デバイス６００のコンポーネントであり得るｅＣＣ ｅＭＢＭＳモジュール６１０−ｂのブロック図８００を示す。ｅＣＣ ｅＭＢＭＳモジュール６１０−ｂは、図６乃至７を参照して説明されたｅＭＢＭＳモジュール６１０の態様の例であり得る。ｅＣＣ ｅＭＢＭＳモジュール６１０−ｂは、ｅＭＢＭＳスケジューリング・モジュール７０５−ａ、シンボル期間特定モジュール７１０−ａ、およびユニキャスト制御モジュール７１５−ａを含み得る。これらのモジュールの各々は、図７を参照して上述された機能を実施し得る。ｅＣＣ ｅＭＢＭＳモジュール６１０−ｂはまた、ＣＲＳモジュール８０５、ＤＭＲＳモジュール８１０、ＦＤＭモジュール８１５、ＴＤＭモジュール８２０、ｅＭＢＭＳプリエンプション・モジュール８２５、ＰＭＣＣＨモジュール８３０、およびＰＭＳＩＣＨモジュール８３５を含み得る。
【０１０７】
[0126]  ＣＲＳモジュール８０５は、図２乃至５を参照して上述されたように、リソースのセットに関連したサブフレームに関わるＣＲＳオン／オフ検知を実施し得る。ＣＲＳモジュール８０５はまた、ＣＲＳオン／オフ検知に基づいてサブフレームの間にＣＲＳを受信し得る。ＣＲＳモジュール８０５はまた、ＣＲＳオン／オフ検知に基づいて蓄積されたＣＲＳデータとＣＲＳを組み合わせ得る。
【０１０８】
[0127]  ＤＭＲＳモジュール８１０は、図２乃至５を参照して上述されたように、サブフレームの間にＤＭＲＳを受信し得る。いくつかの例では、ＤＭＲＳは、ＣＲＳパターンに関連する１つまたはいくつかのリソース・エレメントを使用する。いくつかの例では、ＤＭＲＳは、非ＣＲＳリソース・エレメントのセットのために低密度のリソース・パターンを使用する。
【０１０９】
[0128]  ＦＤＭモジュール８１５は、図２乃至５を参照して上述されたように、リソースの第１のセットおよびリソースの第２のセットがＦＤＭ構成にしたがって多重化されることを決定し得る。ＴＤＭモジュール８２０は、図２乃至５を参照して上述されたように、リソースの第１のセットおよびリソースの第２のセットがＴＤＭ構成にしたがって多重化されることを決定し得る。
【０１１０】
[0129]  ｅＭＢＭＳプリエンプション・モジュール８２５は、図２乃至５を参照して上述されたように、ｅＭＢＭＳプリエンプション指示を受信し得る。いくつかの例では、ｅＭＢＭＳプリエンプション・モジュール８２５はまた、ｅＭＢＭＳのためにスケジュールされたリソースのセットがプリエンプション指示に基づいてユニキャスト・データを含むことを決定し得る。
【０１１１】
[0130]  ＰＭＣＣＨモジュール８３０は、図２乃至５を参照して上述されたように、ＰＭＣＨに関わる時間および周波数リソースのセットを示すＰＭＣＣＨ送信を受信し得る。ＰＭＣＣＨモジュール８３０はまた、ＰＭＣＣＨに関わるリソースのセットを示すＳＩＢを受信し得る。さらに、または代わって、ＰＭＳＩＣＨモジュール８３５は、図２乃至５を参照して上述されたように、ＰＭＣＣＨに基づいてＭＴＣＨに関わる時間および周波数リソースのセットを指示するＰＭＳＩＣＨ送信を受信し得る。
【０１１２】
[0131]  ワイヤレス・デバイス６００、ワイヤレス・デバイス７００、またはｅＣＣ ｅＭＢＭＳモジュール６１０ーｂのコンポーネントは、各々、個々に、または集合的に、ハードウェア内の適用可能な機能のいくつかまたはすべてを実施するように適応された少なくとも１つの特定用途向け集積回路（ＡＳＩＣ）でインプリメントされ得る。代わって、機能は、少なくとも１つのＩＣ上で、１つまたは複数の他の処理ユニット（またはコア）によって実施され得る。他の実施形態において、他のタイプの集積回路（例えば、構造化／プラットフォームＡＳＩＣ、フィールド・プログラマブル・ゲートアレイ（ＦＰＧＡ）、および別の半カスタムＩＣ）が使用され得、それらは、当該技術分野において既知の任意の方法でプログラムされ得る。各ユニットの機能はまた、１つまたは複数の汎用または特定用途向けのプロセッサによって実行されるようにフォーマット化された、メモリにおいて具現化される命令で、全体的または部分的に、インプリメントされ得る。
【０１１３】
[0132]  図９は、本開示のさまざまな態様にしたがってｅＣＣにおけるｅＭＢＭＳのために構成されたＵＥ１１５を含むシステム９００の図を示す。システム９００は、ＵＥ１１５−ｅを含み得、それは、図１、２および５乃至８に関連して上述されたワイヤレス・デバイス６００、ワイヤレス・デバイス７００またはＵＥ１１５の例であり得る。ＵＥ１１５−ｅは、ｅＣＣ ｅＭＢＭＳモジュール９１０を含み得、それは、図６乃至８に関連して説明されたｅＣＣ ｅＭＢＭＳモジュール６１０の例であり得る。ＵＥ１１５−ｅはまた、ｅＣＣモジュール９２５を含み得る。ＵＥ１１５−ｅはまた、通信を送信するためのコンポーネントおよび通信を受信するためのコンポーネントを含む、双方向音声およびデータ通信のためのコンポーネントを含み得る。例えば、ＵＥ１１５−ｅは、ＵＥ１１５−ｆまたは基地局１０５−ｃと双方向に通信し得る。
【０１１４】
[0133]  ｅＣＣモジュール９２５は、リソースのセットが減じられたシンボル期間に基づくように構成され得、減じられたシンボル期間は、図２乃至５を参照して上述されたようなｅＣＣ構成に対応し得る。いくつかの例では、シンボル期間は、ＣＣＡ長に等しくなり得る。減じられたシンボル期間は、いくつかの場合では、拡張されたＣＰ長に基づき得る。いくつかの例では、拡張されたＣＰ長に基づく減じられたシンボル期間は、ｅＭＢＭＳに関連した帯域幅範囲に対応し、拡張されていないＣＰ長に基づく第２の減じられたシンボル期間は、ユニキャスト送信に関連した帯域幅範囲に対応する。
【０１１５】
[0134]  ＵＥ１１５−ｅはまた、プロセッサ・モジュール９０５、およびメモリ９１５（ソフトウェア（ＳＷ）９２０を含む）、トランシーバ・モジュール９３５、および１つまたは複数のアンテナ９４０を含み得、これらの各々は、（例えば、１つまたは複数のバス９４５を介して）互いに、直接または間接的に、通信し得る。上述されたように、トランシーバ・モジュール９３５は、（１つまたは複数の）アンテナ９４０、または有線あるいは無線のリンクを介して、１つまたは複数のネットワークと双方向に通信し得る。例えば、トランシーバ・モジュール９３５は、基地局１０５または別のＵＥ１１５と双方向に通信し得る。トランシーバ・モジュール９３５は、パケットを変調し、変調されたパケットを送信のために（１つまたは複数の）アンテナ９４０に提供し、そして（１つまたは複数の）アンテナ９４０から受信されたパケットを復調するためのモデムを含み得る。ＵＥ１１５−ｅは、単一のアンテナ９４０を含み得るが、ＵＥ１１５−ｅはまた、複数のワイヤレス送信を同時に送信または受信することが可能である複数のアンテナ９４０を有し得る。
【０１１６】
[0135]  メモリ９１５は、ランダム・アクセス・メモリ（ＲＡＭ）および読取専用メモリ（ＲＯＭ）を含み得る。メモリ９１５は、実行されると、プロセッサ・モジュール９０５に、本明細書で説明されさまざまな機能（例えば、ｅＣＣにおけるｅＭＢＭＳなど）をＵＥ１１５−ｅに実施させることをプロセッサ・モジュール９０５に行わせる命令を含む、コンピュータ可読、コンピュータ実行可能ソフトウェア／ファームウェア・コード９２０を記憶し得る。代わって、ソフトウェア／ファームウェア・コード９２０は、プロセッサ・モジュール９０５によって直接的に実行可能ではないこともあるが、（例えば、コンパイルおよび実行されるとき）本明細書に説明されている機能をＵＥ１１５−ｅに実施させ得る。プロセッサ・モジュール９０５は、インテリジェント・ハードウェア・デバイス（例えば、中央処理ユニット（ＣＰＵ）、マイクロコントローラ、ＡＳＩＣなど）を含み得る。
【０１１７】
[0136]  図１０は、本開示のさまざまな態様にしたがってｅＣＣにおけるｅＭＢＭＳのために構成されたワイヤレス・デバイス１０００のブロック図を示す。ワイヤレス・デバイス１０００は、図１乃至５を参照して説明された基地局１０５の態様の例であり得る。ワイヤレス・デバイス１０００は、受信機１００５、基地局（ＢＳ）ｅＣＣ ｅＭＢＭＳモジュール１０１０、または送信機１０１５を含み得る。ワイヤレス・デバイス１０００はまた、プロセッサを含み得る。これらのコンポーネントの各々は、互いに通信状態にあり得る。
【０１１８】
[0137]  受信機１００５は、さまざまな情報チャネル（例えば、制御チャネル、ＵＬデータ・チャネル、およびｅＣＣにおけるｅＭＢＭＳに関連した情報など）に関連付けられた、パケット、ユーザ・データ、または制御情報のような情報を受信し得る。情報は、基地局ｅＣＣ ｅＭＢＭＳモジュール１０１０に、およびワイヤレス・デバイス１０００の他のコンポーネントに伝えられ得る。
【０１１９】
[0138]  基地局ｅＣＣ ｅＭＢＭＳモジュール１０１０は、ｅＣＣの帯域幅範囲がｅＭＢＭＳのためにスケジュールされることを決定し、決定に基づいて帯域幅範囲に関わる拡張されたＣＰ長を選択し、および拡張されたＣＰ長に基づいて参照信号構成を選択し得る。送信機１０１５は、ワイヤレス・デバイス１０００の他のコンポーネントから受信された信号を送信し得る。いくつかの例では、送信機１０１５は、トランシーバ・モジュールで受信機１００５と共に配置され得る。送信機１０１５は、単一のアンテナを含み得るか、またはそれは、複数のアンテナを含み得る。
【０１２０】
[0139]  図１１は、本開示のさまざまな態様にしたがってｅＣＣにおけるｅＭＢＭＳに関わるワイヤレス・デバイス１１００のブロック図を示す。ワイヤレス・デバイス１１００は、図１乃至１０を参照して説明された基地局１０５またはワイヤレス・デバイス１０００の態様の例であり得る。ワイヤレス・デバイス１１００は、受信機１００５−ａ、基地局ｅＣＣ ｅＭＢＭＳモジュール１０１０−ａ、または送信機１０１５−ａを含み得る。ワイヤレス・デバイス１１００はまた、プロセッサを含み得る。これらのコンポーネントの各々は、互いに通信状態にあり得る。基地局ｅＣＣ ｅＭＢＭＳモジュール１０１０−ａはまた、ＢＳ ｅＭＢＭＳスケジューリング・モジュール１１０５、ＣＰ長モジュール１１１０、およびＲＳ構成モジュール１１１５を含み得る。
【０１２１】
[0140]  受信機１００５−ａは、基地局ｅＣＣ ｅＭＢＭＳモジュール１０１０−ａに、および基地局１０５の他のコンポーネントに伝えられ得る情報を受信し得る。基地局ｅＣＣ  ｅＭＢＭＳモジュール１０１０−ａは、図１０を参照して上述された動作を実施し得る。送信機１０１５−ａは、ワイヤレス・デバイス１１００の他のコンポーネントから受信された信号を送信し得る。
【０１２２】
[0141]  ＢＳ ｅＭＢＭＳスケジューリング・モジュール１１０５は、ｅＣＣの帯域幅範囲が図２乃至５を参照して上述されたようにｅＭＢＭＳのためにスケジュールされることを決定し得る。ＣＰ長モジュール１１１０は、ｅＣＣの帯域幅範囲が図２乃至５を参照して上述されたようにｅＭＢＭＳのためにスケジュールされることの決定に基づいて帯域幅範囲に関わる拡張されたＣＰ長を選択し得る。いくつかの例では、ＲＳ構成モジュール１１１５は、図２乃至５を参照して上述されたように拡張されたＣＰ長に基づいて参照信号構成を選択し得る。
【０１２３】
[0142]  図１２は、本開示のさまざまな態様にしたがってｅＣＣにおけるｅＭＢＭＳに関わるワイヤレス・デバイス１１００、またはワイヤレス・デバイス１０００のコンポーネントであり得る基地局ｅＣＣ ｅＭＢＭＳモジュール１０１０−ｂのブロック図１２００を示す。基地局ｅＣＣ ｅＭＢＭＳモジュール１０１０−ｂは、図１０乃至１１を参照して説明された基地局ｅＣＣ ｅＭＢＭＳモジュール１０１０の態様の例であり得る。基地局ｅＣＣ ｅＭＢＭＳモジュール１０１０−ｂは、ＢＳ ｅＭＢＭＳスケジューリング・モジュール１１０５−ａ、ＣＰ長モジュール１１１０−ａ、およびＲＳ構成モジュール１１１５−ａを含み得る。これらのモジュールの各々は、図１１を参照して上述された機能を実施し得る。基地局ｅＣＣ ｅＭＢＭＳモジュール１０１０−ｂはまた、ＴＴＩ長モジュール１２０５、およびＲＳ信号密度モジュール１２１０を含み得る。
【０１２４】
[0143]  ＴＴＩ長モジュール１２０５は、図２乃至５を参照して説明されたように参照信号構成が最小のＴＴＩ長を含み得るように構成され得る。さらに、または代わって、ＲＳ信号密度モジュール１２１０は、図２乃至５を参照して説明されたように参照信号構成が増大した参照信号密度を含み得るように構成され得る。
【０１２５】
[0144]  ワイヤレス・デバイス１０００、ワイヤレス・デバイス１１００、または基地局ｅＣＣ ｅＭＢＭＳモジュール１０１０ーｂは、各々、個々に、または集合的に、ハードウェアにおける適用可能な機能のいくつかまたはすべてを実施するように適応された少なくとも１つのＡＳＩＣでインプリメントされ得る。代わって、機能は、少なくとも１つのＩＣ上で、１つまたは複数の他の処理ユニット（またはコア）によって実施され得る。他の実施形態では、他のタイプの集積回路（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はまた、１つまたは複数の汎用または特定用途向けのプロセッサによって実行されるようにフォーマット化された、メモリにおいて具現化される命令で、全体的または部分的に、インプリメントされ得る。
【０１２６】
[0145]  図１３は、本開示のさまざまな態様にしたがってｅＣＣにおけるｅＭＢＭＳのために構成された基地局１０５を含むシステム１３００の図を示す。システム１３００は、基地局１０５−ｄを含み得、それは、図１乃至５および１０乃至１２に関連して上述されたワイヤレス・デバイス１０００、ワイヤレス・デバイス１１００、または基地局１０５の例であり得る。基地局１０５−ｄは、基地局ｅＣＣ ｅＭＢＭＳモジュール１３１０を含み得、それは、図１０乃至１２を参照して説明された基地局ｅＣＣ ｅＭＢＭＳモジュール１０１０の例であり得る。基地局１０５−ｄはまた、通信を送信するためのコンポーネントおよび通信を送信するためのコンポーネントを含む、双方向音声およびデータ通信のためのコンポーネントを含み得る。例えば、基地局１０５−ｄは、ＵＥ１１５−ｇまたはＵＥ１１５−ｈと双方向に通信し得る。
【０１２７】
[0146]  いくつかの場合では、基地局１０５−ｄは、１つまたは複数の有線バックホール・リンクを有し得る。基地局１０５−ｄは、コア・ネットワーク１３０−ａに対する有線バックホール・リンク（例えばＳ１インターフェースなど）を有し得る。基地局１０５−ｄはまた、基地局間のバックホール・リンク（例えばＸ２インターフェース）を介して他の基地局１０５、例えば基地局１０５−ｅおよび基地局１０５−ｆと通信し得る。基地局１０５の各々は、同じ、または異なるワイヤレス通信技術を使用してＵＥ１１５と通信し得る。いくつかの場合では、基地局１０５−ｄは、基地局通信モジュール１３２５を使用して１０５−ｅまたは１０５−ｆのような他の基地局と通信し得る。いくつかの例では、基地局通信モジュール１３２５は、いくつかの基地局１０５間の通信を提供するために、ＬＴＥ／ＬＴＥ−Ａワイヤレス通信ネットワーク技術内のＸ２インターフェースを提供し得る。いくつかの例では、基地局１０５−ｄは、コア・ネットワーク１３０を通じて他の基地局と通信し得る。基地局１０５−ｄは、ネットワーク通信モジュール１３３０を通じてコア・ネットワーク１３０と通信し得る。
【０１２８】
[0147]  基地局１０５−ｄは、プロセッサ・モジュール１３０５、（ソフトウェア（ＳＷ）１３２０を含む）メモリ１３１５、トランシーバ・モジュール１３３５、および（１つまたは複数の）アンテナ１３４０を含み得、それらは各々、（例えば、バス・システム１３４５上で）互いに、直接的または間接的に、通信状態にあり得る。トランシーバ・モジュール１３３５は、ＵＥ１１５と、（１つまたは複数の）アンテナ１３４０を介して、双方向で通信するように構成され得、それは、マルチモード・デバイスであり得る。トランシーバ・モジュール１３３５（または基地局１０５−ｄの他のコンポーネント）はまた、１つまたは複数の他の基地局（図示せず）と、アンテナ１３４０を介して、双方向で通信するように構成され得る。トランシーバ・モジュール１３３５は、パケットを変調し、変調されたパケットを送信のためにアンテナ１３４０に提供し、アンテナ１３４０から受信されたパケットを復調するように構成されたモデムを含み得る。基地局１０５−ｄは、各々１つまたは複数の関連するアンテナ１３４０を備えた、複数のトランシーバ・モジュール１３３５を含み得る。トランシーバ・モジュールは、図１０の組み合わされた受信機１００５および送信機１０１５の例であり得る。
【０１２９】
[0148]  メモリ１３１５は、ＲＡＭおよびＲＯＭを含み得る。メモリ１３１５はまた、実行されるときに、本明細書に説明されたさまざまな機能（例えば、ｅＣＣにおけるｅＭＢＭＳ、カバレッジ増進技法を選択すること、呼処理、データベース管理、メッセージ・ルーティングなど）を基地局１０５−ｄに実施させることを、プロセッサ・モジュール１３１０に行わせるように構成された命令を含む、コンピュータ読取り可能な、コンピュータ実行可能なソフトウェア・コード１３２０を記憶し得る。代わって、ソフトウェア１３２０は、プロセッサ・モジュール１３０５によって直接実行可能ではないが、（例えば、コンパイルされ、実行されるときに）、本明細書で説明されている機能を基地局１０５−ｄに実施させるように構成され得る。プロセッサ・モジュール１３０５は、インテリジェント・ハードウェア・デバイス（例えば、ＣＰＵ、マイクロコントローラ、ＡＳＩＣなど）を含み得る。プロセッサ・モジュール１３０５は、エンコーダ、キュー処理モジュール、ベース・バンド・プロセッサ、ラジオ・ヘッド・コントローラ、デジタル・シグナル・プロセッサ（ＤＳＰ）などのような、さまざまな特別用途のプロセッサを含み得る。
【０１３０】
[0149]  基地局通信モジュール１３２５は、他の基地局１０５との通信を管理し得る。通信管理モジュールは、他の基地局１０５と連携してＵＥ１１５との通信を制御するためのコントローラまたはスケジューラを含み得る。例えば、基地局通信モジュール１３２５は、ビームフォーミングもしくはジョイント送信のようなさまざまな干渉緩和技法のために、ＵＥ１１５への送信のためのスケジューリングを調整することができる。
【０１３１】
[0150]  図１４は、本開示のさまざまな態様にしたがってｅＣＣにおけるｅＭＢＭＳに関わる方法１４００を例示するフローチャートを示す。方法１４００の動作は、ＵＥ１１５または図１乃至９を参照して説明されたようにそれのコンポーネントによってインプリメントされ得る。例えば、方法１４００の動作は、図６乃至９を参照して説明されたように、ｅＣＣ ｅＭＢＭＳモジュール６１０によって実施され得る。いくつかの例では、ＵＥ１１５は、ＵＥ１１５の機能的要素を制御して以下に説明される機能を実施するためにコードのセットを実行し得る。さらに、または代わって、ＵＥ１１５は、専用ハードウェアを使用して以下に説明される機能の態様を実施し得る。
【０１３２】
[0151]  ブロック１４０５において、ＵＥ１１５は、図２乃至５を参照して上述されたように、リソースのセットがｅＭＢＭＳのためにスケジュールされることを決定し得る。特定の例では、ブロック１４０５の動作は、図７を参照して上述されたように、ｅＭＢＭＳスケジューリング・モジュール７０５によって実施され得る。
【０１３３】
[0152]  ブロック１４１０において、ＵＥ１１５は、図２乃至５を参照して前述されたように、リソースのセットの第１シンボル期間がＣＲＳプリアンブルに関連し、リソースのセットの第２のシンボル期間がユニキャスト制御シンボル期間であることを決定し得る。特定の例では、ブロック１４１０の動作は、図７に関連して上述されたように、シンボル期間特定モジュール７１０によって実施され得る。
【０１３４】
[0153]  ブロック１４１５において、ＵＥ１１５は、図２乃至５を参照して前述されたように、リソースのセットを使用してユニキャスト・データ送信を指示する制御メッセージをユニキャスト制御シンボル期間において特定し得る。特定の例では、ブロック１４１５の動作は、図７を参照して上述されたように、ユニキャスト制御モジュール７１５によって実施され得る。
【０１３５】
[0154]  図１５は、本開示のさまざまな態様にしたがってｅＣＣにおけるｅＭＢＭＳに関わる方法１５００を例示するフローチャートを示す。方法１５００の動作は、ＵＥ１１５または図１乃至９を参照して説明されたようにそれのコンポーネントによってインプリメントされ得る。例えば、方法１５００の動作は、図６乃至９を参照して説明されたように、ｅＣＣ ｅＭＢＭＳモジュール６１０によって実施され得る。いくつかの例では、ＵＥ１１５は、ＵＥ１１５の機能的要素を制御して以下に説明される機能を実施するためにコードのセットを実行し得る。さらに、または代わって、ＵＥ１１５は、専用ハードウェアを使用して以下に説明される機能の態様を実施し得る。方法１５００はまた、図１４の方法１４００の態様を組み込み得る。
【０１３６】
[0155]  ブロック１５０５において、ＵＥ１１５は、図２乃至５を参照して上述されたように、リソースのセットがｅＭＢＭＳのためにスケジュールされることを決定し得る。特定の例では、ブロック１５０５の動作は、図７を参照して上述されたように、ｅＭＢＭＳスケジューリング・モジュール７０５によって実施され得る。
【０１３７】
[0156]  ブロック１５１０において、ＵＥ１１５は、図２乃至５を参照して前述されたように、リソースのセットの第１シンボル期間がＣＲＳプリアンブルに関連し、リソースのセットの第２のシンボル期間がユニキャスト制御シンボル期間であることを決定し得る。特定の例では、ブロック１５１０の動作は、図７に関連して上述されたように、シンボル期間特定モジュール７１０によって実施され得る。
【０１３８】
[0157]  ブロック１５１５において、ＵＥ１１５は、図２乃至５を参照して前述されたように、リソースのセットを使用してユニキャスト・データ送信を指示する制御メッセージをユニキャスト制御シンボル期間において特定し得る。特定の例では、ブロック１５１５の動作は、図７を参照して上述されたように、ユニキャスト制御モジュール７１５によって実施され得る。
【０１３９】
[0158]  ブロック１５２０において、ＵＥ１１５は、図２乃至５を参照して上述されたように、リソースのセットに関連したサブフレームに関わるＣＲＳオン／オフ検知を実施し得る。特定の例では、ブロック１５２０の動作は、図８を参照して上述されたように、ＣＲＳモジュール８０５によって実施され得る。
【０１４０】
[0159]  ブロック１５２５において、ＵＥ１１５は、図２乃至５を参照して上述されたように、ＣＲＳオン／オフ検知に基づいてサブフレーム間に少なくとも１つのＣＲＳを受信し得る。特定の例では、ブロック１５２５の動作は、図８を参照して上述されたように、ＣＲＳモジュール８０５によって実施され得る。
【０１４１】
[0160]  図１６は、本開示のさまざまな態様にしたがってｅＣＣにおけるｅＭＢＭＳに関わる方法１６００を例示するフローチャートを示す。方法１６００の動作は、ＵＥ１１５または図１乃至９を参照して説明されたようにそれのコンポーネントによってインプリメントされ得る。例えば、方法１６００の動作は、図６乃至９を参照して説明されたように、ｅＣＣ ｅＭＢＭＳモジュール６１０によって実施され得る。いくつかの例では、ＵＥ１１５は、ＵＥ１１５の機能的要素を制御して以下に説明される機能を実施するためにコードのセットを実行し得る。さらに、または代わって、ＵＥ１１５は、専用ハードウェアを使用して以下に説明される機能の態様を実施し得る。方法１６００はまた、図１４乃至１５の方法１４００および１５００の態様を組み込み得る。
【０１４２】
[0161]  ブロック１６０５において、ＵＥ１１５は、図２乃至５を参照して上述されたように、リソースのセットがｅＭＢＭＳのためにスケジュールされることを決定し得る。特定の例では、ブロック１６０５の動作は、図７を参照して上述されたように、ｅＭＢＭＳスケジューリング・モジュール７０５によって実施され得る。
【０１４３】
[0162]  ブロック１６１０において、ＵＥ１１５は、図２乃至５を参照して前述されたように、リソースのセットの第１シンボル期間がＣＲＳプリアンブルに関連し、リソースのセットの第２のシンボル期間がユニキャスト制御シンボル期間であることを決定し得る。特定の例では、ブロック１６１０の動作は、図７に関連して上述されたように、シンボル期間特定モジュール７１０によって実施され得る。
【０１４４】
[0163]  ブロック１６１５において、ＵＥ１１５は、図２乃至５を参照して前述されたように、リソースのセットを使用してユニキャスト・データ送信を指示する制御メッセージをユニキャスト制御シンボル期間において特定し得る。特定の例では、ブロック１６１５の動作は、図７を参照して上述されたように、ユニキャスト制御モジュール７１５によって実施され得る。
【０１４５】
[0164]  ブロック１６２０において、ＵＥ１１５は、図２乃至５を参照して上述されたように、ユニキャスト制御シンボル期間の間に制御メッセージを受信し得る。特定の例では、ブロック１６２０の動作は、図７を参照して上述されたように、ユニキャスト制御モジュール７１５によって実施され得る。
【０１４６】
[0165]  ブロック１６２５において、ＵＥ１１５は、図２乃至５を参照して上述されたように、制御メッセージに基づいてサブフレーム間にユニキャスト・データ送信を受信し得る。特定の例において、ブロック１６２５の動作は、図６を参照して上述された受信機６０５によって実施され得る。
【０１４７】
[0166]  図１７は、本開示のさまざまな態様にしたがってｅＣＣにおけるｅＭＢＭＳに関わる方法１７００を例示するフローチャートを示す。方法１７００の動作は、ＵＥ１１５または図１乃至９を参照して説明されたそれのコンポーネントによってインプリメントされ得る。例えば、方法１７００の動作は、図６乃至９を参照して説明されたように、ｅＣＣ ｅＭＢＭＳモジュール６１０によって実施され得る。いくつかの例では、ＵＥ１１５は、ＵＥ１１５の機能的要素を制御して以下に説明される機能を実施するためにコードのセットを実行し得る。さらに、または代わって、ＵＥ１１５は、専用ハードウェアを使用して以下に説明される機能の態様を実施し得る。方法１７００はまた、図１４乃至１６の方法１４００、１５００および１６００の態様を組み込み得る。
【０１４８】
[0167]  ブロック１７０５において、ＵＥ１１５は、図２乃至５を参照して上述されたように、リソースのセットがｅＭＢＭＳのためにスケジュールされることを決定し得る。特定の例では、ブロック１７０５の動作は、図７を参照して上述されたように、ｅＭＢＭＳスケジューリング・モジュール７０５によって実施され得る。
【０１４９】
[0168]  ブロック１７１０において、ＵＥ１１５は、図２乃至５を参照して前述されたように、リソースのセットの第１シンボル期間がＣＲＳプリアンブルに関連し、リソースのセットの第２のシンボル期間がユニキャスト制御シンボル期間であることを決定し得る。特定の例では、ブロック１７１０の動作は、図７に関連して上述されたように、シンボル期間特定モジュール７１０によって実施され得る。
【０１５０】
[0169]  ブロック１７１５において、ＵＥ１１５は、図２乃至５を参照して上述されたように、ｅＭＢＭＳプリエンプション指示を受信し得る。特定の例では、ブロック１７１５の動作は、図８を参照して上述されたように、ｅＭＢＭＳプリエンプション・モジュール８２５によって実施され得る。
【０１５１】
[0170]  ブロック１７２０において、ＵＥ１１５は、図２乃至５を参照して上述されたように、ｅＭＢＭＳのためにスケジュールされたリソースのセットがプリエンプション指示に基づいてユニキャスト・データを含むことを決定し得る。特定の例では、ブロック１７２０の動作は、図８を参照して上述されたように、ｅＭＢＭＳプリエンプション・モジュール８２５によって実施され得る。
【０１５２】
[0171]  ブロック１７２５において、ＵＥ１１５は、図２乃至５を参照して前述されたように、リソースのセットを使用してユニキャスト・データ送信を指示する制御メッセージをユニキャスト制御シンボル期間において特定し得る。特定の例では、ブロック１７２５の動作は、図７を参照して上述されたように、ユニキャスト制御モジュール７１５によって実施され得る。
【０１５３】
[0172]  図１８は、本開示のさまざまな態様にしたがってｅＣＣにおけるｅＭＢＭＳに関わる方法１８００を例示するフローチャートを示す。方法１８００の動作は、ＵＥ１１５または図１乃至９を参照して説明されたそれのコンポーネントによってインプリメントされ得る。例えば、方法１８００の動作は、図６乃至９を参照して説明されたように、ｅＣＣ ｅＭＢＭＳモジュール６１０によって実施され得る。いくつかの例では、ＵＥ１１５は、ＵＥ１１５の機能的要素を制御して以下に説明される機能を実施するためにコードのセットを実行し得る。さらに、または代わって、ＵＥ１１５は、専用ハードウェアを使用して以下に説明される機能の態様を実施し得る。
【０１５４】
[0173]  ブロック１８０５において、ＵＥ１１５は、図２乃至５を参照して上述されたように、ＰＭＣＨに関わる時間および周波数リソースのセットを指示するＰＭＣＣＨ送信を受信し得る。特定の例では、ブロック１８０５の動作は、図８を参照して上述されたように、ＰＭＣＣＨモジュール８３０によって実施され得る。
【０１５５】
[0174]  ブロック１８１０において、ＵＥ１１５は、図２乃至５を参照して上述されたように、ＰＭＣＣＨに少なくとも部分的に基づいてＭＴＣＨに関わる時間および周波数リソースのセットを指示するＰＭＳＩＣＨ送信を受信し得る。特定の例では、ブロック１８１０の動作は、図８を参照して上述されたように、ＰＭＳＩＣＨモジュール８３５によって実施され得る。
【０１５６】
[0175]  図１９は、本開示のさまざまな態様にしたがってｅＣＣにおけるｅＭＢＭＳに関わる方法１９００を例示するフローチャートを示す。方法１９００の動作は、基地局１０５または図１乃至５および１０乃至１３を参照して説明されたようにそれのコンポーネントによってインプリメントされ得る。例えば、方法１９００の動作は、図１０乃至１３を参照して説明されたように、基地局ｅＣＣ ｅＭＢＭＳモジュール１０１０によって実施され得る。いくつかの例では、基地局１０５は、基地局１０５の機能的要素を制御して以下に説明される機能を実施するためにコードのセットを実行し得る。さらに、または代わって、基地局１０５は、専用ハードウェアを使用して以下に説明される機能の態様を実施し得る。
【０１５７】
[0176]  ブロック１９０５において、基地局１０５は、図２乃至５を参照して上述されたようにｅＣＣの帯域幅範囲がｅＭＢＭＳのためにスケジュールされることを決定し得る。特定の例では、ブロック１９０５の動作は、図１１を参照して上述されたように、ＢＳ ｅＭＢＭＳスケジューリング・モジュール１１０５によって実施され得る。
【０１５８】
[0177]  ブロック１９１０において、基地局１０５は、図２乃至５に関連して上述されたように、決定に少なくとも部分的に基づいて、帯域幅範囲に関わる拡張されたＣＰ長を選択し得る。特定の例では、ブロック１９１０の動作は、図１１に関連して上述されたように、ＣＰ長モジュール１１１０によって実施され得る。
【０１５９】
[0178]  ブロック１９１５において、基地局１０５は、図２乃至５に関連して上述されたように、拡張されたＣＰ長に少なくとも部分的に基づいて参照信号構成を選択し得る。特定の例では、ブロック１９１５の動作は、図１１に関連して上述されたように、ＲＳ構成モジュール１１１５によって実施され得る。
【０１６０】
[0179]  かくして、方法１４００、１５００、１６００、１７００、１８００、および１９００は、ｅＣＣにおけるｅＭＢＭＳを提供し得る。方法１４００、１５００、１６００、１７００、１８００および１９００は、可能なインプリメンテーションを説明しており、動作およびステップは、他のインプリメンテーションが可能になるように、再配置またはそうでない場合は修正され得ることに留意されたい。いくつかの例では、方法１４００、１５００、１６００、１７００、１８００および１９００のうちの２つ以上からの態様が組み合され得る。
【０１６１】
[0180]  添付された図面に関連して上述された詳細な説明は、例としての実施形態を説明しており、インプリメントされ得るまたは特許請求の範囲の範囲内にある全ての実施形態を表してはいない。「例示的な（exemplary）」という用語は、本説明に使用される場合、「好ましい」または「他の実施形態よりも有利である」ということではなく、「例、事例、または例示としての役割をすること」を意味する。詳細な説明は、説明された技法の理解を提供する目的で具体的な詳細を含む。しかしながら、これらの技法は、これらの具体的な詳細なしに実現され得る。いくつかの事例において、周知の構造およびデバイスは、説明された実施形態の概念を曖昧にすることを避けるためにブロック図の形態で示される。
【０１６２】
[0181]  情報および信号は、多様な異なる技術および技法のうちの任意のものを使用して示され得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１６３】
[0182]  本明細書での開示に関連して説明されたさまざまな例示的なブロックおよびモジュールは、汎用プロセッサ、ＤＳＰ、ＡＳＩＣ、ＦＰＧＡまたは他のプログラマブル論理デバイス、離散ゲートまたはトランジスタ論理、離散ハードウェア・コンポーネント、あるいは本明細書で説明された機能を実施するように設計されたそれらの任意の組み合わせを用いてインプリメントまたは実施され得る。汎用プロセッサは、マイクロプロセッサであり得るが、代替では、プロセッサは、任意の従来のプロセッサ、コントローラ、マイクロコントローラ、またはステート・マシンであり得る。プロセッサはまた、（例えば、ＤＳＰとマイクロプロセッサの組み合わせ、複数のマイクロプロセッサ、ＤＳＰコアに連結した１つまたは複数のマイクロプロセッサ、または他の任意のそのような構成といった、）コンピューティング・デバイスの組み合わせとしてインプリメントされ得る。
【０１６４】
[0183]  本明細書で説明された機能は、ハードウェア、プロセッサによって実行されるソフトウェア、ファームウェア、またはそれらの任意の組み合わせにおいてインプリメントされ得る。プロセッサによって実行されるソフトウェアにインプリメントされる場合、これらの機能は、コンピュータ可読媒体上で、１つまたは複数の命令またはコードとして送信または記憶され得る。他の例およびインプリメンテーションは、本開示および添付された特許請求の範囲の範囲および精神内にある。例えば、ソフトウェアの性質により、上記に説明された機能は、プロセッサによって実行されるソフトウェア、ハードウェア、ファームウェア、ハードワイヤリング、またはこれらのいずれかの組み合わせを使用してインプリメントされることができる。機能をインプリメントする特徴はまた、さまざまな位置において物理的に配置され得、それは、機能の一部が異なる物理的な位置においてインプリメントされるように分配されることを含む。請求項を含む本明細書で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１６５】
[0184]  本書で使用される場合、「〜に基づいて」という表現は、状態の閉鎖的なセット（closed set）への言及として解釈されるべきではない。例えば、「状態Ａに基づいて」と記載されている例示的なステップは、本開示の範囲から逸脱しないで状態Ａと状態Ｂの両方に基づき得る。言い換えると、本書で使用される場合、「〜に基づいて」という表現は、「〜に少なくとも部分的に基づいて」という表現と同じように解釈されるべきである。
【０１６６】
[0185]  コンピュータ可読媒体は、１つの場所から別の場所へのコンピュータ・プログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクト・ディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、もしくは汎用または特殊用途プロセッサによってアクセスされることができる任意の他の非一時的な媒体を備えることができる。また、任意の接続は、厳密にはコンピュータ可読媒体と称される。例えば、ソフトウェアが、同軸ケーブル、光ファイバ・ケーブル、ツイスト・ペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバ・ケーブル、ツイスト・ペア、ＤＳＬ、または赤外線、無線、およびマイクロ波のようなワイヤレス技術は、媒体の定義中に含まれる。本明細書に使用される、ディスク（disk）およびディスク（disc）は、ＣＤ、レーザー・ディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。上記の組み合わせもまた、コンピュータ可読媒体の範囲内に含まれる。
【０１６７】
[0186]  本開示の先の説明は、当業者が本開示を製造または使用することを可能にするために提供される。本開示に対するさまざまな修正は、当業者にとって容易に明らかとなり、本明細書で定義された包括的な原理は、本開示の範囲から逸脱しないで他の変形に適用され得る。かくして、本開示は、本明細書に説明された例および設計に限定されるべきではなく、本明細書に開示された原理および新規の特徴と矛盾しない最も広い範囲であると認められるべきである。
【０１６８】
[0187]  本明細書で説明される技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムのようなさまざまなワイヤレス通信システムに対して使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、ＩＳ−８５６規格をカバーする。ＩＳ−２０００リリース０およびＡは一般的に、ＣＤＭＡ２０００ １Ｘ、１Ｘなどと称される。ＩＳ−８５６（ＴＩＡ−８５６）は、一般的に、ＣＤＭＡ２０００ 1ｘＥＶ−ＤＯ、高速パケットデータ（ＨＲＰＤ）などと称される。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバル・システム（ＧＳＭ（登録商標））のような無線技術をインプリメントし得る。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、のような無線技術をインプリメントし得る。ＵＴＲＡおよびＥ-ＵＴＲＡは、ユニバーサルモバイル電気通信システム（ＵＭＴＳ）の一部である。３ＧＰＰロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信のためのグローバル・システム（ＧＳＭ）は、「第３世代パートナーシップ・プロジェクト」（３ＧＰＰ）という名称の団体からの文書中に説明されている。ＣＤＭＡ２０００およびＵＭＢは、「第３世代パートナーシップ・プロジェクト２」（３ＧＰＰ２）という名称の団体からの文書中に説明されている。本明細書で説明された技法は、上述されたシステムおよび無線技術ならびに他のシステムおよび無線技術に対して使用され得る。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
以下に本願の出願当初の特許請求の範囲に記載された発明を付記する。
［Ｃ１］
無線デバイスにおける通信の方法であって、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を備える方法。
［Ｃ２］
リソースの前記セットに関連するサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、をさらに備えるＣ１に記載の方法。
［Ｃ３］
前記ＣＲＳオン／オフ検知に少なくとも部分的に基づいて蓄積されたＣＲＳデータと前記少なくとも１つのＣＲＳを組み合わせることをさらに備えるＣ２に記載の方法。
［Ｃ４］
リソースの前記セットに関連するサブフレームの間に少なくとも１つの復調参照信号（ＤＭＲＳ）を受信することをさらに備えるＣ１に記載の方法。
［Ｃ５］
前記少なくとも１つのＤＭＲＳは、ＣＲＳパターンに関連した少なくとも１つのリソース・エレメントを使用する、Ｃ４に記載の方法。
［Ｃ６］
前記少なくとも１つのＤＭＲＳは、非ＣＲＳリソース・エレメントのセットに関わる低密度のリソース・パターンを使用する、Ｃ５に記載の方法。
［Ｃ７］
前記ユニキャスト制御シンボル期間の間に前記制御メッセージを受信することと、
前記制御メッセージに少なくとも部分的に基づいてリソースの前記セットに関連したサブフレームの間に前記ユニキャスト・データ送信を受信することと、をさらに備えるＣ１に記載の方法。
［Ｃ８］
前記ユニキャスト制御シンボル期間の間に前記制御メッセージを送信することと、リソースの前記セットに関連したサブフレームの間に前記ユニキャスト・データ送信を送信することと、をさらに備えるＣ１に記載の方法。
［Ｃ９］
リソースの第２のセットが第２のｅＭＢＭＳのためにスケジュールされることを決定することをさらに備える、Ｃ１に記載の方法。
［Ｃ１０］
リソースの前記セットとリソースの前記第２のセットが周波数分割多重（ＦＤＭ）構成にしたがって多重化されることを決定することをさらに備える、Ｃ９に記載の方法。
［Ｃ１１］
リソースの前記セットとリソースの前記第２のセットが時分割多重（ＴＤＭ）構成にしたがって多重化されることを決定することをさらに備える、Ｃ９に記載の方法。
［Ｃ１２］
ＭＢＭＳプリエンプション（preemption）指示を受信することと、
前記ｅＭＢＭＳのためにスケジュールされたリソースの前記セットが前記ｅＭＢＭＳプリエンプション指示に少なくとも部分的に基づいてユニキャスト・データを含むことを決定することと、をさらに備えるＣ１に記載の方法。
［Ｃ１３］
リソースの前記セットは、減じられたシンボル期間に少なくとも部分的に基づき、ここにおいて、前記減じられたシンボル期間は、強化コンポーネント・キャリア（ｅＣＣ）構成に対応する、Ｃ１に記載の方法。
［Ｃ１４］
前記減じられたシンボル期間は、クリア・チャネル・アセスメント（ＣＣＡ）長に等しい、Ｃ１３に記載の方法。
［Ｃ１５］
前記減じられたシンボル期間は、拡張されたサイクリック・プレフィクス（ＣＰ）長に少なくとも部分的に基づく、Ｃ１３に記載の方法。
［Ｃ１６］
前記拡張されたＣＰ長に少なくとも部分的に基づく前記減じられたシンボル期間は、前記ｅＭＢＭＳに関連した帯域幅範囲に対応し、拡張されていないＣＰ長に少なくとも部分的に基づく第２の減じられたシンボル期間は、ユニキャスト送信に関連した帯域幅範囲に対応する、Ｃ１５に記載の方法。
［Ｃ１７］
前記制御メッセージは、物理アップリンク・フォーマット・インジケータ・チャネル（ＰＵＦＩＣＨ）フォーマットまたはリソース割り当てを使用する、Ｃ１に記載の方法。
［Ｃ１８］
リソースの前記セットが前記ｅＭＢＭＳのためにスケジュールされることを決定することは、
前記ｅＭＢＭＳを示すシステム情報ブロック（ＳＩＢ）を受信することと前記ＳＩＢに少なくとも部分的に基づいてマルチキャスト制御チャネル（ＭＣＣＨ）を受信することとを備える、Ｃ１に記載の方法。
［Ｃ１９］
ワイヤレス・デバイスにおける通信のための装置であって、
リソースのセットが発展型マルチメディア・ブロードキャスト・マルチキャスト・サービス（ｅＭＢＭＳ）のためにスケジュールされることを決定するための手段と、
リソースの前記セットの第１シンボル期間がセル固有の参照信号（ＣＲＳ）プリアンブルに関連し、リソースの前記セットの第２のシンボル期間がユニキャスト制御シンボル期間であることを決定するための手段と、
リソースの前記セットを使用してユニキャスト・データ送信を指示する制御メッセージを前記ユニキャスト制御シンボル期間において特定するための手段と、を備える装置。
［Ｃ２０］
リソースの前記セットに関連するサブフレームに関わるＣＲＳオン／オフ検知を実施するための手段と、
前記ＣＲＳオン／オフ検知に少なくとも部分的に基づいて前記サブフレームの間に少なくとも１つのＣＲＳを受信するための手段と、をさらに備えるＣ１９に記載の装置。
［Ｃ２１］
前記ＣＲＳオン／オフ検知に少なくとも部分的に基づいて蓄積されたＣＲＳデータと前記少なくとも１つのＣＲＳを組み合わせるための手段をさらに備えるＣ２０に記載の装置。
［Ｃ２２］
リソースの前記セットに関連するサブフレームの間に少なくとも１つの復調参照信号（ＤＭＲＳ）を受信するための手段をさらに備えるＣ１９に記載の装置。
［Ｃ２３］
前記少なくとも１つのＤＭＲＳは、ＣＲＳパターンに関連する少なくとも１つのリソース・エレメントと、非ＣＲＳリソース・エレメントのセットに関わる低密度のリソース・パターンとを使用する、Ｃ２２に記載の装置。
［Ｃ２４］
前記ユニキャスト制御シンボル期間の間に前記制御メッセージを受信するための手段と、前記制御メッセージに少なくとも部分的に基づいてリソースの前記セットに関連したサブフレームの間に前記ユニキャスト・データ送信を受信するための手段と、をさらに備えるＣ１９に記載の装置。
［Ｃ２５］
前記ユニキャスト制御シンボル期間の間に前記制御メッセージを送信するための手段と、リソースの前記セットに関連したサブフレームの間に前記ユニキャスト・データ送信を送信するための手段と、をさらに備えるＣ１９に記載の装置。
［Ｃ２６］
リソースの第２のセットが第２のｅＭＢＭＳのためにスケジュールされることを決定するための手段をさらに備える、Ｃ１９に記載の装置。
［Ｃ２７］
リソースの前記セットとリソースの前記第２のセットが周波数分割多重（ＦＤＭ）構成にしたがって多重化されることを決定するための手段をさらに備える、Ｃ２６に記載の装置。
［Ｃ２８］
リソースの前記セットとリソースの前記第２のセットが時分割多重（ＴＤＭ）構成にしたがって多重化されることを決定するための手段をさらに備える、Ｃ２６に記載の装置。
［Ｃ２９］
ワイヤレス・デバイスにおける通信のための装置であって、
プロセッサと、
前記プロセッサと電子通信状態にあるメモリと、
前記メモリに記憶された命令と
を備え、ここにおいて、前記命令は、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を前記装置に行わせることを、前記プロセッサによって実行可能である、装置。
［Ｃ３０］
ワイヤレス・デバイスにおける通信のためのコードを記憶する非一時的コンピュータ可読媒体であって、前記コードは、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を実行可能である命令を備える、コンピュータ可読媒体。
【図１】
0006374116.tif 000002
【図２】
0006374116.tif 000003
【図３Ａ】
0006374116.tif 000004
【図３Ｂ】
0006374116.tif 000005
【図４】
0006374116.tif 000006
【図５】
0006374116.tif 000007
【図６】
0006374116.tif 000008
【図７】
0006374116.tif 000009
【図８】
0006374116.tif 000010
【図９】
0006374116.tif 000011
【図１０】
0006374116.tif 000012
【図１１】
0006374116.tif 000013
【図１２】
0006374116.tif 000014
【図１３】
0006374116.tif 000015
【図１４】
0006374116.tif 000016
【図１５】
0006374116.tif 000017
【図１６】
0006374116.tif 000018
【図１７】
0006374116.tif 000019
【図１８】
0006374116.tif 000020
【図１９】
0006374116.tif 000021